(57)【特許請求の範囲】
【請求項１】
アップリンクを送信する方法であって、前記方法は、端末により実行され、前記方法は、
キャリアアグリゲーション（ＣＡ）が設定され、前記設定されたＣＡがイントラバンドＣＡに該当し、前記設定されたＣＡが非連続ＣＡに該当する場合、割り当てられたリソースブロック（ＲＢ）を利用して一次コンポーネントキャリア上でアップリンクを送信することを含み、
前記一次コンポーネントキャリアのチャネル帯域幅が２５ＲＢであり、二次コンポーネントキャリアのチャネル帯域幅が２５ＲＢであり、２個のサブブロック間のギャップが３０ＭＨｚより大きく、且つ５５ＭＨｚより小さい場合、前記二次コンポーネントキャリアのダウンリンクのための基準感度に対する要求事項を満たすために、前記一次コンポーネントキャリアにおける前記割り当てられたＲＢは、１０個のＲＢに制限される、方法。
【請求項２】
前記一次及び二次コンポーネントキャリアは、ＬＴＥ／ＬＴＥ−Ａ規格のバンド２５に該当する、請求項１に記載の方法。
【請求項３】
端末であって、前記端末は、
キャリアアグリゲーション（ＣＡ）が設定され、前記設定されたＣＡがイントラバンドＣＡに該当し、前記設定されたＣＡが非連続ＣＡに該当する場合、割り当てられたリソースブロック（ＲＢ）を利用して一次コンポーネントキャリア上でアップリンクを送信するように構成された送受信器を備え、
前記一次コンポーネントキャリアのチャネル帯域幅が２５ＲＢであり、二次コンポーネントキャリアのチャネル帯域幅が２５ＲＢであり、２個のサブブロック間のギャップが３０ＭＨｚより大きく、且つ５５ＭＨｚより小さい場合、前記二次コンポーネントキャリアのダウンリンクのための基準感度に対する要求事項を満たすために、前記一次コンポーネントキャリアにおける前記割り当てられたＲＢは、１０個のＲＢに制限される、端末。
【請求項４】
前記一次及び二次コンポーネントキャリアは、ＬＴＥ／ＬＴＥ−Ａ規格のバンド２５に該当する、請求項３に記載の端末。
【発明の詳細な説明】
【技術分野】
【０００１】
本発明は、イントラバンド非連続的なアップリンクキャリアアグリゲーションにおける基準感度低下を防止するために減少された個数の送信リソースブロックでアップリンク信号を送信する方法及び端末に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。
【０００３】
３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。ＯＦＤＭＡを理解するためにはＯＦＤＭを知らなければならない。ＯＦＤＭは、低い複雑度でシンボル間干渉（ｉｎｔｅｒ−ｓｙｍｂｏｌ  ｉｎｔｅｒｆｅｒｅｎｃｅ）効果を減少させることができるため、使われている。ＯＦＤＭは、直列に入力されるデータをＮ個の並列データに変換し、Ｎ個の直交副搬送波（ｓｕｂｃａｒｒｉｅｒ）に載せて送信する。副搬送波は、周波数次元で直交性を維持する。一方、ＯＦＤＭＡは、ＯＦＤＭを変調方式として使用するシステムにおいて、利用可能な副搬送波の一部を各ユーザに独立的に提供して多重接続を実現する多重接続方法を意味する。
【０００４】
図１は、３ＧＰＰ  ＬＴＥ無線通信システムを示す。
【０００５】
図１を参照して分かるように、無線通信システムは、少なくとも一つの基地局（ｂａｓｅ  ｓｔａｔｉｏｎ、ＢＳ）２０を含む。各基地局２０は、特定の地理的領域（一般的に、セルという）２０ａ、２０ｂ、２０ｃに対して通信サービスを提供する。
【０００６】
このとき、基地局から端末への通信をダウンリンク（ｄｏｗｎｌｉｎｋ、ＤＬ）といい、端末から基地局への通信をアップリンク（ｕｐｌｉｎｋ、ＵＬ）という。
【０００７】
最近、３ＧＰＰ  ＬＴＥの進化である３ＧＰＰ  ＬＴＥ−Ａ（ＬＴＥ−Ａｄｖａｎｃｅｄ）の開発が完了している。前記ＬＴＥ−Ａではキャリアアグリゲーション（Ｃａｒｒｉｅｒ  Ａｇｇｒｅｇａｔｉｏｎ）が利用される。
【発明の概要】
【発明が解決しようとする課題】
【０００８】
しかし、キャリアアグリゲーションで送信漏れにより受信の基準感度が低下されることができる。
【０００９】
したがって、本明細書の一開示は、リソースブロック（ＲＢ）を制限することで受信感度低下を回避することを目的とする。
【課題を解決するための手段】
【００１０】
前述した目的を達成するために、本明細書の一開示は、アップリンク送信方法を提供する。前記方法は、キャリアアグリゲーション（ＣＡ）が設定され、前記設定されたＣＡがイントラバンドＣＡに該当し、前記設定されたＣＡが非連続（ｎｏｎ−ｃｏｎｔｉｇｏｕｓ）ＣＡに該当する場合、割り当てられたリソースブロック（ＲＢ）を利用して一次コンポーネントキャリア（Ｐｒｉｍａｒｙ  Ｃｏｍｐｏｎｅｎｔ  Ｃａｒｒｉｅｒ：ＰＣＣ）上でアップリンクを送信するステップを含み、ここで、前記一次コンポーネントキャリアと二次コンポーネントキャリアのアグリゲーションによるチャネル帯域幅が２５ＲＢ、５０ＲＢ、７５ＲＢ、及び１００ＲＢのうちいずれか一つに該当し、２個のサブブロック間のギャップ（ｇａｐ）が予め決められた範囲に属する場合、前記二次コンポーネントキャリアのダウンリンクのための基準感度に対する要求事項を満たすために、前記一次コンポーネントキャリア上で前記割り当てられたＲＢの個数は１０個に制限される。
【００１１】
前述した目的を達成するために、本明細書の一開示は、端末を提供する。前記端末は、キャリアアグリゲーション（ＣＡ）が設定され、前記設定されたＣＡがイントラバンドＣＡに該当し、前記設定されたＣＡが非連続（ｎｏｎ−ｃｏｎｔｉｇｏｕｓ）ＣＡに該当する場合、割り当てられたリソースブロック（ＲＢ）を利用して一次コンポーネントキャリア（Ｐｒｉｍａｒｙ  Ｃｏｍｐｏｎｅｎｔ  Ｃａｒｒｉｅｒ：ＰＣＣ）上でアップリンクを送信する送信部を含み、ここで、前記一次コンポーネントキャリアと二次コンポーネントキャリアのアグリゲーションによるチャネル帯域幅が２５ＲＢ、５０ＲＢ、７５ＲＢ、及び１００ＲＢのうちいずれか一つに該当し、２個のサブブロック間のギャップ（ｇａｐ）が予め決められた範囲に属する場合、前記二次コンポーネントキャリアのダウンリンクのための基準感度に対する要求事項を満たすために、前記一次コンポーネントキャリア上で前記割り当てられたＲＢの個数は１０個に制限される。
【００１２】
前記一次及び二次コンポーネントキャリアは、ＬＴＥ／ＬＴＥ−Ａ規格のバンド２５に該当する。
【００１３】
前記一次コンポーネントキャリアのチャネル帯域幅と前記二次コンポーネントキャリアのチャネル帯域幅に従って、前記ギャップに対する前記予め決められた範囲は可変される。
【００１４】
前記一次コンポーネントキャリアのチャネル帯域幅が２５ＲＢかまたは５０ＲＢかに従って、及び前記二次コンポーネントキャリアのチャネル帯域幅が２５ＲＢかまたは５０ＲＢかに従って、前記ギャップに対する前記予め決められた範囲は可変される。
【００１５】
前記一次コンポーネントキャリアのチャネル帯域幅が２５ＲＢであり、前記二次コンポーネントキャリアのチャネル帯域幅も２５ＲＢであり、前記ギャップが３０Ｍｈｚより大きく、且つ５５Ｍｈｚより小さい場合、前記ＲＢの個数が１０個に制限される。
【００１６】
前記一次コンポーネントキャリアのチャネル帯域幅が２５ＲＢであり、前記二次コンポーネントキャリアのチャネル帯域幅は５０ＲＢであり、前記ギャップが２５Ｍｈｚより大きく、且つ５０Ｍｈｚより小さい場合、前記ＲＢの個数が１０個に制限される。
【００１７】
前記一次コンポーネントキャリアのチャネル帯域幅が５０ＲＢであり、前記二次コンポーネントキャリアのチャネル帯域幅は２５ＲＢであり、前記ギャップが１５Ｍｈｚより大きく、且つ５０Ｍｈｚより小さい場合、前記ＲＢの個数が１０個に制限される。
【００１８】
前記一次コンポーネントキャリアのチャネル帯域幅が５０ＲＢであり、前記二次コンポーネントキャリアのチャネル帯域幅も５０ＲＢであり、前記ギャップが１０Ｍｈｚより大きく、且つ４５Ｍｈｚより小さい場合、前記ＲＢの個数が１０個に制限される。
【００１９】
前記一次コンポーネントキャリアのチャネル帯域幅が５０ＲＢであり、前記二次コンポーネントキャリアのチャネル帯域幅は２５ＲＢであり、前記ギャップが１０Ｍｈｚより大きく、且つ４５Ｍｈｚより小さい場合、前記割り当てられたＲＢの開始位置は、３３番目のＲＢである。
本明細書は、例えば、以下の項目も提供する。
（項目１）
アップリンク送信方法であって、
キャリアアグリゲーション（ＣＡ）が設定され、前記設定されたＣＡがイントラバンドＣＡに該当し、前記設定されたＣＡが非連続（ｎｏｎ−ｃｏｎｔｉｇｏｕｓ）ＣＡに該当する場合、割り当てられたリソースブロック（ＲＢ）を利用して一次コンポーネントキャリア（Ｐｒｉｍａｒｙ  Ｃｏｍｐｏｎｅｎｔ  Ｃａｒｒｉｅｒ：ＰＣＣ）上でアップリンクを送信するステップを含み、
ここで、前記一次コンポーネントキャリアと二次コンポーネントキャリアのアグリゲーションによるチャネル帯域幅が２５ＲＢ、５０ＲＢ、７５ＲＢ、及び１００ＲＢのうちいずれか一つに該当し、２個のサブブロック間のギャップ（ｇａｐ）が予め決められた範囲に属する場合、前記二次コンポーネントキャリアのダウンリンクのための基準感度に対する要求事項を満たすために、前記一次コンポーネントキャリア上で前記割り当てられたＲＢの個数は１０個に制限されることを特徴とするアップリンク送信方法。
（項目２）
前記一次及び二次コンポーネントキャリアは、ＬＴＥ／ＬＴＥ−Ａ規格のバンド２５に該当することを特徴とする項目１に記載のアップリンク送信方法。
（項目３）
前記一次コンポーネントキャリアのチャネル帯域幅と前記二次コンポーネントキャリアのチャネル帯域幅に従って、前記ギャップに対する前記予め決められた範囲は可変されることを特徴とする項目１に記載のアップリンク送信方法。
（項目４）
前記一次コンポーネントキャリアのチャネル帯域幅が２５ＲＢかまたは５０ＲＢかに従って、及び前記二次コンポーネントキャリアのチャネル帯域幅が２５ＲＢかまたは５０ＲＢかに従って、前記ギャップに対する前記予め決められた範囲は可変されることを特徴とする項目１に記載のアップリンク送信方法。
（項目５）
前記一次コンポーネントキャリアのチャネル帯域幅が２５ＲＢであり、前記二次コンポーネントキャリアのチャネル帯域幅も２５ＲＢであり、前記ギャップが３０Ｍｈｚより大きく、且つ５５Ｍｈｚより小さい場合、前記ＲＢの個数が１０個に制限されることを特徴とする項目１に記載のアップリンク送信方法。
（項目６）
前記一次コンポーネントキャリアのチャネル帯域幅が２５ＲＢであり、前記二次コンポーネントキャリアのチャネル帯域幅は５０ＲＢであり、前記ギャップが２５Ｍｈｚより大きく、且つ５０Ｍｈｚより小さい場合、前記ＲＢの個数が１０個に制限されることを特徴とする項目１に記載のアップリンク送信方法。
（項目７）
前記一次コンポーネントキャリアのチャネル帯域幅が５０ＲＢであり、前記二次コンポーネントキャリアのチャネル帯域幅は２５ＲＢであり、前記ギャップが１５Ｍｈｚより大きく、且つ５０Ｍｈｚより小さい場合、前記ＲＢの個数が１０個に制限されることを特徴とする項目１に記載のアップリンク送信方法。
（項目８）
前記一次コンポーネントキャリアのチャネル帯域幅が５０ＲＢであり、前記二次コンポーネントキャリアのチャネル帯域幅も５０ＲＢであり、前記ギャップが１０Ｍｈｚより大きく、且つ４５Ｍｈｚより小さい場合、前記ＲＢの個数が１０個に制限されることを特徴とする項目１に記載のアップリンク送信方法。
（項目９）
前記一次コンポーネントキャリアのチャネル帯域幅が５０ＲＢであり、前記二次コンポーネントキャリアのチャネル帯域幅は２５ＲＢであり、前記ギャップが１０Ｍｈｚより大きく、且つ４５Ｍｈｚより小さい場合、前記割り当てられたＲＢの開始位置は、３３番目のＲＢであることを特徴とする項目８に記載のアップリンク送信方法。
（項目１０）
端末であって、
キャリアアグリゲーション（ＣＡ）が設定され、前記設定されたＣＡがイントラバンドＣＡに該当し、前記設定されたＣＡが非連続（ｎｏｎ−ｃｏｎｔｉｇｏｕｓ）ＣＡに該当する場合、割り当てられたリソースブロック（ＲＢ）を利用して一次コンポーネントキャリア（Ｐｒｉｍａｒｙ  Ｃｏｍｐｏｎｅｎｔ  Ｃａｒｒｉｅｒ：ＰＣＣ）上でアップリンクを送信する送信部を含み、
ここで、前記一次コンポーネントキャリアと二次コンポーネントキャリアのアグリゲーションによるチャネル帯域幅が２５ＲＢ、５０ＲＢ、７５ＲＢ、及び１００ＲＢのうちいずれか一つに該当し、２個のサブブロック間のギャップ（ｇａｐ）が予め決められた範囲に属する場合、前記二次コンポーネントキャリアのダウンリンクのための基準感度に対する要求事項を満たすために、前記一次コンポーネントキャリア上で前記割り当てられたＲＢの個数は１０個に制限されることを特徴とする端末。
（項目１１）
前記一次及び二次コンポーネントキャリアは、ＬＴＥ／ＬＴＥ−Ａ規格のバンド２５に該当することを特徴とする項目１０に記載の端末。
（項目１２）
前記一次コンポーネントキャリアのチャネル帯域幅と前記二次コンポーネントキャリアのチャネル帯域幅に従って、前記ギャップに対する前記予め決められた範囲は可変されることを特徴とする項目１０に記載の端末。
（項目１３）
前記一次コンポーネントキャリアのチャネル帯域幅が２５ＲＢかまたは５０ＲＢかに従って、及び前記二次コンポーネントキャリアのチャネル帯域幅が２５ＲＢかまたは５０ＲＢかに従って、前記ギャップに対する前記予め決められた範囲は可変されることを特徴とする項目１０に記載の端末。
（項目１４）
前記一次コンポーネントキャリアのチャネル帯域幅が２５ＲＢであり、前記二次コンポーネントキャリアのチャネル帯域幅も２５ＲＢであり、前記ギャップが３０Ｍｈｚより大きく、且つ５５Ｍｈｚより小さい場合、前記ＲＢの個数が１０個に制限されることを特徴とする項目１０に記載の端末。
（項目１５）
前記一次コンポーネントキャリアのチャネル帯域幅が２５ＲＢであり、前記二次コンポーネントキャリアのチャネル帯域幅は５０ＲＢであり、前記ギャップが２５Ｍｈｚより大きく、且つ５０Ｍｈｚより小さい場合、前記ＲＢの個数が１０個に制限されることを特徴とする項目１０に記載の端末。
（項目１６）
前記一次コンポーネントキャリアのチャネル帯域幅が５０ＲＢであり、前記二次コンポーネントキャリアのチャネル帯域幅は２５ＲＢであり、前記ギャップが１５Ｍｈｚより大きく、且つ５０Ｍｈｚより小さい場合、前記ＲＢの個数が１０個に制限されることを特徴とする項目１０に記載の端末。
（項目１７）
前記一次コンポーネントキャリアのチャネル帯域幅が５０ＲＢであり、前記二次コンポーネントキャリアのチャネル帯域幅も５０ＲＢであり、前記ギャップが１０Ｍｈｚより大きく、且つ４５Ｍｈｚより小さい場合、前記ＲＢの個数が１０個に制限されることを特徴とする項目１０に記載の端末。
（項目１８）
前記一次コンポーネントキャリアのチャネル帯域幅が５０ＲＢであり、前記二次コンポーネントキャリアのチャネル帯域幅は２５ＲＢであり、前記ギャップが１０Ｍｈｚより大きく、且つ４５Ｍｈｚより小さい場合、前記割り当てられたＲＢの開始位置は、３３番目のＲＢであることを特徴とする項目１７に記載の端末。
【発明の効果】
【００２０】
本明細書の開示によると、基準感度の低下を防止することができる。
【図面の簡単な説明】
【００２１】
【図１】無線通信システムを示す。
【図２】３ＧＰＰ  ＬＴＥにおいて、ＦＤＤによる無線フレーム（ｒａｄｉｏ  ｆｒａｍｅ）の構造を示す。
【図３】３ＧＰＰ  ＬＴＥにおいて、ＴＤＤによるダウンリンク無線フレームの構造を示す。
【図４】３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【図５】ダウンリンクサブフレームの構造を示す。
【図６】３ＧＰＰ  ＬＴＥにおいて、アップリンクサブフレームの構造を示す。
【図７】単一搬送波システムとキャリアアグリゲーションシステムの比較例である。
【図８】キャリアアグリゲーションシステムにおける交差搬送波スケジューリングを例示する。
【図９】キャリアアグリゲーションシステムにおいて、交差搬送波スケジューリングが設定された場合、スケジューリング例を示す。
【図１０】イントラバンド（ｉｎｔｒａ−ｂａｎｄ）キャリアアグリゲーション（Ｃａｒｒｉｅｒ  Ａｇｇｒｅｇａｔｉｏｎ；ＣＡ）を示す概念図である。
【図１１】インターバンド（ｉｎｔｅｒ−ｂａｎｄ）キャリアアグリゲーションを示す概念図である。
【図１２】不要放射（ｕｎｗａｎｔｅｄ  ｅｍｉｓｓｉｏｎ）の概念を示す。
【図１３】図１２に示す不要放射のうち外部帯域での放射を具体的に示す。
【図１４】図１２に示すチャネル帯域（ＭＨｚ）とリソースブロック（ＲＢ）の関係を示す。
【図１５】端末の送信電力を制限する方法を示す例示図である。
【図１６】基準感度を示す例示図である。
【図１７ａ】一般的な受信感度のシミュレーション環境を示す例示図である。
【図１７ｂ】本明細書の一開示によって、イントラバンド非連続ＣＡが設定された場合、受信感度のシミュレーション環境を示す例示図である。
【図１８ａ】本明細書の一開示によって、イントラバンド非連続ＣＡが設定された場合、バンド２５の受信周波数に流入される送信信号の電力レベルに対するシミュレーション結果を示す例示図である。
【図１８ｂ】本明細書の一開示によって、イントラバンド非連続ＣＡが設定された場合、バンド２５の受信周波数に流入される送信信号の電力レベルに対するシミュレーション結果を示す例示図である。
【図１９ａ】本明細書の一開示によって、イントラバンド非連続ＣＡが設定された場合、アップリンクリソース割当のＲＢ位置を変更する時の受信感度に対する感度抑圧（ｄｅｓｅｎｓｉｔｉｚａｔｉｏｎ）レベルを示す。
【図１９ｂ】本明細書の一開示によって、イントラバンド非連続ＣＡが設定された場合、アップリンクリソース割当のＲＢ位置を変更する時の受信感度に対する感度抑圧（ｄｅｓｅｎｓｉｔｉｚａｔｉｏｎ）レベルを示す。
【図１９ｃ】本明細書の一開示によって、イントラバンド非連続ＣＡが設定された場合、アップリンクリソース割当のＲＢ位置を変更する時の受信感度に対する感度抑圧（ｄｅｓｅｎｓｉｔｉｚａｔｉｏｎ）レベルを示す。
【図１９ｄ】本明細書の一開示によって、イントラバンド非連続ＣＡが設定された場合、アップリンクリソース割当のＲＢ位置を変更する時の受信感度に対する感度抑圧（ｄｅｓｅｎｓｉｔｉｚａｔｉｏｎ）レベルを示す。
【図２０】本明細書の開示による端末の動作を示す。
【図２１】本発明の実施例が具現される無線通信システムを示すブロック図である。
【発明を実施するための形態】
【００２２】
本明細書で使われる技術的用語は、単に特定の実施例を説明するために使われたものであり、本発明を限定するものではないことを留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味でまたは過度に縮小された意味で解釈されてはならない。また、本明細書で使われる技術的な用語が本発明の思想を正確に表現することができない技術的用語である場合、当業者が正しく理解することができる技術的用語に変えて理解しなければならない。また、本発明で使われる一般的な用語は、事前定義によってまたは前後文脈によって解釈されなければならず、過度に縮小された意味で解釈されてはならない。
【００２３】
また、本明細書で使われる単数の表現は、文脈上、明白に異なる意味ではない限り、複数の表現を含む。本出願において、“構成される”または“含む”などの用語は、明細書上に記載された複数の構成要素、または複数のステップを必ず全部含むと解釈されてはならず、そのうち一部構成要素または一部ステップは含まない場合もあり、または追加的な構成要素またはステップをさらに含む場合もあると解釈されなければならない。
【００２４】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的にのみ使われる。例えば、本発明の権利範囲を外れない限り、第１の構成要素は第２の構成要素と命名することができ、同様に、第２の構成要素も第１の構成要素と命名することができる。
【００２５】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなげればならない。
【００２６】
以下、添付図面を参照して本発明による好ましい実施例を詳細に説明し、図面符号に関係なしに同じまたは類似の構成要素は、同じ参照番号を付与し、これに対する重複説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことを留意しなければならない。本発明の思想は、添付図面外に全ての変更、均等物乃至代替物にまで拡張されると解釈されなければならない。
【００２７】
以下、使われる無線機器は、固定されてもよく、移動性を有してもよいし、端末（Ｔｅｒｍｉｎａｌ）、ＭＴ（ｍｏｂｉｌｅ  ｔｅｒｍｉｎａｌ）、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、携帯機器（Ｈａｎｄｈｅｌｄ  Ｄｅｖｉｃｅ）、ＡＴ（Ａｃｃｅｓｓ  Ｔｅｒｍｉｎａｌ）等、他の用語で呼ばれることもある。
【００２８】
また、以下で使われる基地局という用語は、一般的に無線機器と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２９】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は多様な無線通信システムに適用されることができる。以下、ＬＴＥとは、ＬＴＥ及び／またはＬＴＥ−Ａを含む。
【００３０】
一方、３ＧＰＰで定義するＬＴＥシステムは、このようなＭＩＭＯを採択した。以下、ＬＴＥシステムに対し、より詳細に説明する。
【００３１】
図２は、３ＧＰＰ  ＬＴＥにおいて、ＦＤＤによる無線フレーム（ｒａｄｉｏ  ｆｒａｍｅ）の構造を示す。
【００３２】
図２に示す無線フレームは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。
【００３３】
図２を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、０から１９までのスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、一つのスロットは、複数のＯＦＤＭシンボルを含むことができる。一つのスロットに含まれるＯＦＤＭシンボルの数は、サイクリックプレフィックス（ＣＰ：ｃｙｃｌｉｃ  ｐｒｅｆｉｘ）によって変わることができる。
【００３６】
図３は、３ＧＰＰ  ＬＴＥにおいて、ＴＤＤによるダウンリンク無線フレームの構造を示す。
【００３７】
これは３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の４節を参照することができ、ＴＤＤ（Ｔｉｍｅ  Ｄｉｖｉｓｉｏｎ  Ｄｕｐｌｅｘ）のためのものである。
【００３８】
無線フレーム（ｒａｄｉｏ  ｆｒａｍｅ）は、０〜９のインデックスが付けられた１０個のサブフレームを含む。一つのサブフレーム（ｓｕｂｆｒａｍｅ）は、２個の連続的なスロットを含む。一つのサブフレームの送信にかかる時間をＴＴＩ（ｔｒａｎｓｍｉｓｓｉｏｎ  ｔｉｍｅ  ｉｎｔｅｒｖａｌ）といい、例えば、一つのサブフレームの長さは１ｍｓであり、一つのスロットの長さは０．５ｍｓである。
【００３９】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンク（ｄｏｗｎｌｉｎｋ、ＤＬ）でＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限があるものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００４０】
一つのスロットは、７ＯＦＤＭシンボルを含むものを例示的に記述するが、ＣＰ（Ｃｙｃｌｉｃ  Ｐｒｅｆｉｘ）の長さによって、一つのスロットに含まれるＯＦＤＭシンボルの数は変わることができる。３ＧＰＰ  ＴＳ  ３６．２１１  Ｖ８．７．０によると、正規ＣＰにおいて、１スロットは７ＯＦＤＭシンボルを含み、拡張（ｅｘｔｅｎｄｅｄ）ＣＰにおいて、１スロットは６ＯＦＤＭシンボルを含む。
【００４１】
リソースブロック（ｒｅｓｏｕｒｃｅ  ｂｌｏｃｋ、ＲＢ）は、リソース割当単位であり、一つのスロットで複数の副搬送波を含む。例えば、一つのスロットが時間領域で７個のＯＦＤＭシンボルを含み、且つリソースブロックが周波数領域で１２個の副搬送波を含む場合、一つのリソースブロックは、７×１２個のリソース要素（ｒｅｓｏｕｒｃｅ  ｅｌｅｍｅｎｔ、ＲＥ）を含むことができる。
【００４２】
インデックス＃１とインデックス＃６を有するサブフレームは、スペシャルサブフレームといい、ＤｗＰＴＳ（Ｄｏｗｎｌｉｎｋ  Ｐｉｌｏｔ  Ｔｉｍｅ  Ｓｌｏｔ：ＤｗＰＴＳ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セル探索、同期化またはチャネル推定に使われる。ＵｐＰＴＳは、基地局でのチャネル推定と端末のアップリンク送信同期を合わせるときに使われる。ＧＰは、アップリンクとダウンリンクとの間にダウンリンク信号の多重経路遅延によりアップリンクで発生する干渉を除去するための区間である。
【００４３】
ＴＤＤでは、一つの無線フレームにＤＬ（ｄｏｗｎｌｉｎｋ）サブフレームとＵＬ（Ｕｐｌｉｎｋ）サブフレームが共存する。表１は、無線フレームの設定（ｃｏｎｆｉｇｕｒａｔｉｏｎ）の一例を示す。
【００４４】
【表１】
0006050511.tif 000002
【００４５】
‘Ｄ’はＤＬサブフレームを示し、‘Ｕ’はＵＬサブフレームを示し、‘Ｓ’はスペシャルサブフレームを示す。基地局からＵＬ−ＤＬ設定を受信すると、端末は、無線フレームの設定によって、いずれのサブフレームがＤＬサブフレームか、またはＵＬサブフレームかを知ることができる。
【００４６】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ及び他の制御チャネルが割り当てられ、データ領域にはＰＤＳＣＨが割り当てられる。
【００４７】
図４は、３ＧＰＰ  ＬＴＥにおいて、一つのアップリンクまたはダウンリンクスロットに対するリソースグリッド（ｒｅｓｏｕｒｃｅ  ｇｒｉｄ）を示す例示図である。
【００４８】
図４を参照すると、アップリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮＲＢ個のリソースブロック（Ｒｅｓｏｕｒｃｅ  Ｂｌｏｃｋ、ＲＢ）を含む。例えば、ＬＴＥシステムにおいて、リソースブロック（Ｒｅｓｏｕｒｃｅ  Ｂｌｏｃｋ、ＲＢ）の個数、即ち、ＮＲＢは、６〜１１０のうちいずれか一つである。
【００４９】
ここで、一つのリソースブロックは、時間領域で７ＯＦＤＭシンボルと、周波数領域で１２副搬送波とで構成される７×１２リソース要素を含むことを例示的に記述するが、リソースブロック内の副搬送波の数とＯＦＤＭシンボルの数はこれに制限されるものではない。リソースブロックが含むＯＦＤＭシンボルの数または副搬送波の数は、多様に変更されることができる。即ち、ＯＦＤＭシンボルの数は、前述したＣＰの長さによって変更されることができる。特に、３ＧＰＰ  ＬＴＥにおいて、ノーマルＣＰの場合は、一つのスロット内に７個のＯＦＤＭシンボルが含まれ、拡張ＣＰの場合は、一つのスロット内に６個のＯＦＤＭシンボルが含まれると定義している。
【００５０】
ＯＦＤＭシンボルは、一つのシンボル区間（ｓｙｍｂｏｌ  ｐｅｒｉｏｄ）を表現するためのものであり、システムによって、ＳＣ−ＦＤＭＡシンボル、ＯＦＤＭＡシンボルまたはシンボル区間ということができる。
【００５１】
リソースブロックは、リソース割当単位であり、周波数領域で複数の副搬送波を含む。アップリンクスロットに含まれるリソースブロックの数ＮＵＬは、セルで設定されるアップリンク送信帯域幅（ｂａｎｄｗｉｄｔｈ）に従属する。リソースグリッド上の各要素（ｅｌｅｍｅｎｔ）をリソース要素（ｒｅｓｏｕｒｃｅ  ｅｌｅｍｅｎｔ）という。
【００５２】
一方、一つのＯＦＤＭシンボルにおける副搬送波の数は、１２８、２５６、５１２、１０２４、１５３６及び２０４８のうち一つを選定して使用することができる。
【００５３】
図４の３ＧＰＰ  ＬＴＥにおいて、一つのアップリンクスロットに対するリソースグリッドは、ダウンリンクスロットに対するリソースグリッドにも適用されることができる。
【００５４】
図５は、ダウンリンクサブフレームの構造を示す。
【００５５】
これは３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の４節を参照することができる。
【００５６】
無線フレーム（ｒａｄｉｏ  ｆｒａｍｅ）は、０〜９のインデックスが付けられた１０個のサブフレームを含む。一つのサブフレーム（ｓｕｂｆｒａｍｅ）は、２個の連続的なスロットを含む。したがって、無線フレームは、２０個のスロットを含む。一つのサブフレームの送信にかかる時間をＴＴＩ（ｔｒａｎｓｍｉｓｓｉｏｎ  ｔｉｍｅ  ｉｎｔｅｒｖａｌ）といい、例えば、一つのサブフレームの長さは１ｍｓであり、一つのスロットの長さは０．５ｍｓである。
【００５７】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンク（ｄｏｗｎｌｉｎｋ、ＤＬ）でＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限があるものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００５８】
図５は、ノーマルＣＰを仮定して例示的に一つのスロット内に７ＯＦＤＭシンボルを含むものを示す。しかし、ＣＰ（Ｃｙｃｌｉｃ  Ｐｒｅｆｉｘ）の長さによって、一つのスロットに含まれるＯＦＤＭシンボルの数は変わることができる。即ち、前述したように、３ＧＰＰ  ＴＳ  ３６．２１１  Ｖ１０．４．０によると、ノーマル（ｎｏｒｍａｌ）ＣＰにおいて、１スロットは７ＯＦＤＭシンボルを含み、拡張（ｅｘｔｅｎｄｅｄ）ＣＰにおいて、１スロットは６ＯＦＤＭシンボルを含む。
【００５９】
リソースブロック（ｒｅｓｏｕｒｃｅ  ｂｌｏｃｋ、ＲＢ）は、リソース割当単位であり、一つのスロットで複数の副搬送波を含む。例えば、一つのスロットが時間領域で７個のＯＦＤＭシンボルを含み、且つリソースブロックが周波数領域で１２個の副搬送波を含む場合、一つのリソースブロックは、７×１２個のリソース要素（ｒｅｓｏｕｒｃｅ  ｅｌｅｍｅｎｔ、ＲＥ）を含むことができる。
【００６０】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００６１】
３ＧＰＰ  ＴＳ  ３６．２１１  Ｖ１０．４．０に開示されたように、３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）と、制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）とに分けられる。
【００６２】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。無線機器は、まず、ＰＣＦＩＣＨ上にＣＦＩを受信した後、ＰＤＣＣＨをモニタリングする。
【００６３】
ＰＤＣＣＨと違って、ＰＣＦＩＣＨは、ブラインドデコーディングを使用せずに、サブフレームの固定されたＰＣＦＩＣＨリソースを介して送信される。
【００６４】
ＰＨＩＣＨは、ＵＬ  ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。無線機器により送信されるＰＵＳＣＨ上のＵＬ（ｕｐｌｉｎｋ）データに対するＡＣＫ／ＮＡＣＫ信号は、ＰＨＩＣＨ上に送信される。
【００６５】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、無線機器が基地局との通信に必須的なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。一方、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００６６】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令のセット及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、端末は、複数のＰＤＣＣＨをモニタリングすることができる。ＰＤＣＣＨは、一つまたは複数の連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によって、ＰＤＣＣＨのフォーマット及び可能なＰＤＣＣＨのビット数が決定される。
【００６７】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００６８】
基地局は、端末に送るＤＣＩによって、ＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣにはＰＤＣＣＨのオーナ（ｏｗｎｅｒ）や用途によって、固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）がマスキングされる。特定端末のためのＰＤＣＣＨの場合、端末の固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ＳＩＢ；ｓｙｓｔｅｍ  ｉｎｆｏｒｍａｔｉｏｎ  ｂｌｏｃｋ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされることができる。
【００６９】
３ＧＰＰ  ＬＴＥでは、ＰＤＣＣＨの検出のためにブラインドデコーディングを使用する。ブラインドデコーディングは、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望する識別子をデマスキングし、ＣＲＣエラーをチェックすることで、該当ＰＤＣＣＨが自分の制御チャネルかどうかを確認する方式である。基地局は、無線機器に送るＤＣＩによって、ＰＤＣＣＨフォーマットを決定した後、ＤＣＩにＣＲＣを付け、ＰＤＣＣＨのオーナ（ｏｗｎｅｒ）や用途によって、固有な識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）をＣＲＣにマスキングする。
【００７０】
３ＧＰＰ  ＴＳ  ３６．２１１  Ｖ１０．４．０によると、アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００７１】
図６は、３ＧＰＰ  ＬＴＥにおいて、アップリンクサブフレームの構造を示す。
【００７２】
図６を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって、制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００７３】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピングされた（ｆｒｅｑｕｅｎｃｙ−ｈｏｐｐｅｄ）という。
【００７４】
端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００７５】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００７６】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００７７】
一方、以下、ＳＣ−ＦＤＭＡ送信方式に対して説明する。
【００７８】
ＬＴＥ（Ｌｏｎｇ−Ｔｅｒｍ  Ｅｖｏｌｕｔｉｏｎ）のアップリンクには、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と類似のＳＣ（Ｓｉｎｇｌｅ−Ｃａｒｒｉｅｒ）−ＦＤＭＡを採択した。
【００７９】
ＳＣ−ＦＤＭＡは、ＤＦＴ−ｓ−ＯＦＤＭ（ＤＦＴ−ｓｐｒｅａｄ  ＯＦＤＭ）ともいう。ＳＣ−ＦＤＭＡ送信方式を利用する場合、電力増幅器（ｐｏｗｅｒ  ａｍｐｌｉｆｉｅｒ）の非線形（ｎｏｎ−ｌｉｎｅａｒ）歪曲区間を避けることができ、したがって、電力消耗が制限された端末で送信電力効率が高まることができる。これによって、ユーザスループット（ｕｓｅｒ  ｔｈｒｏｕｇｈｐｕｔ）が高まることができる。
【００８０】
ＳＣ−ＦＤＭＡもＦＦＴ（Ｆａｓｔ  Ｆｏｕｒｉｅｒ  Ｔｒａｎｓｆｏｒｍ）とＩＦＦＴ（Ｉｎｖｅｒｓｅ−ＦＦＴ）を使用して副搬送波に分けて信号を伝達する点で、ＯＦＤＭと非常に類似する。しかし、既存のＯＦＤＭ送信機で問題になったことは、周波数軸上の各副搬送波に載せていた信号がＩＦＦＴにより時間軸の信号に変換されるということである。即ち、ＩＦＦＴが並列の同じ演算が実行される形態であるため、ＰＡＰＲ（Ｐｅａｋ  ｔｏ  Ａｖｅｒａｇｅ  Ｐｏｗｅｒ  Ｒａｔｉｏ）の増加が発生する。このようなＰＡＰＲの増加を防止するために、ＳＣ−ＦＤＭＡは、ＯＦＤＭと違って、ＤＦＴ拡散（ｓｐｒｅａｄｉｎｇ）後、ＩＦＦＴを実行する。即ち、ＤＦＴ拡散（ｓｐｒｅａｄｉｎｇ）後、ＩＦＦＴが実行される送信方式をＳＣ−ＦＤＭＡという。したがって、ＳＣ−ＦＤＭＡは、同じ意味でＤＦＴ  ｓｐｒｅａｄ  ＯＦＤＭ（ＤＦＴ−ｓ−ＯＦＤＭ）とも呼ばれる。
【００８１】
このような、ＳＣ−ＦＤＭＡの長所は、ＯＦＤＭと類似の構造を有することによって多重経路チャネルに対するロブスト性を得る同時に、既存のＯＦＤＭがＩＦＦＴ演算を介してＰＡＰＲが増加するという短所を根本的に解決することによって効率的な電力増幅器の使用を可能にした。
【００８２】
一方、３ＧＰＰでは、ＬＴＥを一層改善した、ＬＴＥ−Ａｄｖａｎｃｅｄの標準化を活発に進行しており、非連続的（ｎｏｎ−ｃｏｎｔｉｇｕｏｕｓ）なリソース割当を許容するクラスタ化された（ｃｌｕｓｔｅｒｅｄ）ＤＦＴ−ｓ−ＯＦＤＭ方式が採択されたことがある。
【００８３】
クラスタ化された（ｃｌｕｓｔｅｒｅｄ）ＤＦＴ−ｓ−ＯＦＤＭ送信方式は、既存のＳＣ−ＦＤＭＡ送信方式の変形であり、プリコーダを経由したデータシンボルを複数のサブブロックに分け、これを周波数領域で互いに分離させてマッピングする方法である。
【００８４】
一方、ＬＴＥ−Ａシステムに対し、より詳細に説明する。
【００８５】
クラスタ化された（ｃｌｕｓｔｅｒｅｄ）ＤＦＴ−ｓ−ＯＦＤＭ方式の重要な特徴は、周波数選択的リソース割当を可能にすることによって、周波数選択的なフェーディング（ｆｒｅｑｕｅｎｃｙ  ｓｅｌｅｃｔｉｖｅ  ｆａｄｉｎｇ）環境に柔軟に対処することができるという点である。
【００８６】
このとき、ＬＴＥ−Ａｄｖａｎｃｅｄのアップリンクアクセス方式として採択されたｃｌｕｓｔｅｒｅｄ  ＤＦＴ−ｓ−ＯＦＤＭ方式では、従来ＬＴＥのアップリンクアクセス方式であるＳＣ−ＦＤＭＡと違って、非連続的なリソース割当が許容されるため、送信されるアップリンクデータが複数のクラスタ単位に分割されることができる。
【００８７】
即ち、ＬＴＥシステムは、アップリンクの場合、単一搬送波特性を維持するようになっており、それに対し、ＬＴＥ−Ａシステムは、ＤＦＴ＿ｐｒｅｃｏｄｉｎｇしたデータを周波数軸に非連続的に割り当て、またはＰＵＳＣＨとＰＵＣＣＨが同時に送信する場合を許容している。この場合、単一搬送波特性を維持しにくい。
【００８８】
以下、キャリアアグリゲーションシステムに対して説明する。
【００８９】
図７は、単一搬送波システムとキャリアアグリゲーションシステムの比較例である。
【００９０】
図７を参照すると、単一搬送波システムでは、アップリンクとダウンリンクに一つの搬送波のみを端末にサポートする。搬送波の帯域幅は多様であるが、端末に割り当てられる搬送波は一つである。それに対し、キャリアアグリゲーション（ｃａｒｒｉｅｒ  ａｇｇｒｅｇａｔｉｏｎ、ＣＡ）システムでは、端末に複数のコンポーネントキャリア（ＤＬ  ＣＣ  Ａ乃至Ｃ、ＵＬ  ＣＣ  Ａ乃至Ｃ）が割り当てられることができる。コンポーネントキャリア（ｃｏｍｐｏｎｅｎｔ  ｃａｒｒｉｅｒ：ＣＣ）は、キャリアアグリゲーションシステムで使われる搬送波を意味し、搬送波と略称することができる。例えば、端末に６０ＭＨｚの帯域幅を割り当てるために、３個の２０ＭＨｚのコンポーネントキャリアが割り当てられることができる。
【００９１】
キャリアアグリゲーションシステムは、アグリゲーションされる搬送波が連続した連続（ｃｏｎｔｉｇｕｏｕｓ）キャリアアグリゲーションシステムと、アグリゲーションされる搬送波が互いに離れている不連続（ｎｏｎ−ｃｏｎｔｉｇｕｏｕｓ）キャリアアグリゲーションシステムとに区分されることができる。以下、単純にキャリアアグリゲーションシステムという時、これはコンポーネントキャリアが連続的な場合と不連続的な場合の両方ともを含むと理解しなければならない。
【００９２】
１個以上のコンポーネントキャリアをアグリゲーションする時、対象となるコンポーネントキャリアは、既存システムとの後方互換性（ｂａｃｋｗａｒｄ  ｃｏｍｐａｔｉｂｉｌｉｔｙ）のために、既存システムで使用する帯域幅をそのまま使用することができる。例えば、３ＧＰＰ  ＬＴＥシステムでは、１．４ＭＨｚ、３ＭＨｚ、５ＭＨｚ、１０ＭＨｚ、１５ＭＨｚ及び２０ＭＨｚの帯域幅をサポートし、３ＧＰＰ  ＬＴＥ−Ａシステムでは、前記３ＧＰＰ  ＬＴＥシステムの帯域幅のみを利用して２０ＭＨｚ以上の広帯域を構成することができる。または、既存システムの帯域幅をそのまま使用せずに、新しい帯域幅を定義して広帯域を構成することもできる。
【００９３】
無線通信システムのシステム周波数帯域は、複数の搬送波周波数（Ｃａｒｒｉｅｒ−ｆｒｅｑｕｅｎｃｙ）に区分される。ここで、搬送波周波数は、セルの中心周波数（Ｃｅｎｔｅｒ  ｆｒｅｑｕｅｎｃｙ  ｏｆ  ａ  ｃｅｌｌ）を意味する。以下、セル（ｃｅｌｌ）は、ダウンリンク周波数リソースとアップリンク周波数リソースを意味する。または、セルは、ダウンリンク周波数リソースと選択的な（ｏｐｔｉｏｎａｌ）アップリンク周波数リソースとの組み合わせ（ｃｏｍｂｉｎａｔｉｏｎ）を意味する。また、一般的にキャリアアグリゲーション（ＣＡ）を考慮しない場合、一つのセル（ｃｅｌｌ）は、アップリンク及びダウンリンク周波数リソースが常に対で存在できる。
【００９４】
特定セルを介してパケット（ｐａｃｋｅｔ）データの送受信が行われるためには、端末は、まず、特定セルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要なシステム情報受信を完了した状態を意味する。例えば、設定（ｃｏｎｆｉｇｕｒａｔｉｏｎ）は、データ送受信に必要な共通物理階層パラメータ、またはＭＡＣ（ｍｅｄｉａ  ａｃｃｅｓｓ  ｃｏｎｔｒｏｌ）階層パラメータ、またはＲＲＣ階層で特定動作に必要なパラメータを受信する全般の過程を含むことができる。設定完了したセルは、パケットデータが送信されることができるという情報のみ受信すると、直ちにパケットの送受信が可能になる状態である。
【００９５】
設定完了状態のセルは、活性化（Ａｃｔｉｖａｔｉｏｎ）または非活性化（Ｄｅａｃｔｉｖａｔｉｏｎ）状態に存在できる。ここで、活性化は、データの送信または受信が行なわれ、または準備状態（ｒｅａｄｙ  ｓｔａｔｅ）にあることを意味する。端末は、自分に割り当てられたリソース（周波数、時間など）を確認するために、活性化されたセルの制御チャネル（ＰＤＣＣＨ）及びデータチャネル（ＰＤＳＣＨ）をモニタリングまたは受信することができる。
【００９６】
非活性化は、トラフィックデータの送信または受信が不可能であり、測定や最小情報の送信／受信が可能であることを意味する。端末は、非活性化セルからパケット受信のために必要なシステム情報（ＳＩ）を受信することができる。それに対し、端末は、自分に割り当てられたリソース（周波数、時間など）を確認するために、非活性化されたセルの制御チャネル（ＰＤＣＣＨ）及びデータチャネル（ＰＤＳＣＨ）をモニタリングまたは受信しない。
【００９７】
セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。
【００９８】
プライマリセルは、プライマリ周波数で動作するセルを意味し、端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。
【００９９】
セカンダリセルは、セカンダリ周波数で動作するセルを意味し、ＲＲＣ接続が確立される場合に設定され、追加的な無線リソースの提供に使われる。
【０１００】
サービングセルは、キャリアアグリゲーションが設定されない、またはキャリアアグリゲーションを提供することができない端末である場合、プライマリセルで構成される。キャリアアグリゲーションが設定された場合、サービングセルという用語は、端末に設定されたセルを示し、複数で構成されることができる。一つのサービングセルは、一つのダウンリンクコンポーネントキャリアまたは｛ダウンリンクコンポーネントキャリア，アップリンクコンポーネントキャリア｝の対で構成されることができる。複数のサービングセルは、プライマリセル及び全てのセカンダリセルのうち一つまたは複数で構成されることができる。
【０１０１】
ＰＣＣ（ｐｒｉｍａｒｙ  ｃｏｍｐｏｎｅｎｔ  ｃａｒｒｉｅｒ）は、プライマリセルに対応するコンポーネントキャリア（ｃｏｍｐｏｎｅｎｔ  ｃａｒｒｉｅｒ：ＣＣ）を意味する。ＰＣＣは、端末が複数のＣＣのうち初期に基地局と接続（ＣｏｎｎｅｃｔｉｏｎまたはＲＲＣ  Ｃｏｎｎｅｃｔｉｏｎ）するＣＣである。ＰＣＣは、複数のＣＣに対するシグナリングのための接続（ＣｏｎｎｅｃｔｉｏｎまたはＲＲＣ  Ｃｏｎｎｅｃｔｉｏｎ）を担当し、端末と関連した連結情報である端末文脈情報（ＵＥ  Ｃｏｎｔｅｘｔ）を管理する特別なＣＣである。また、ＰＣＣは、端末と接続するようになってＲＲＣ接続状態（ＲＲＣ  Ｃｏｎｎｅｃｔｅｄ  Ｍｏｄｅ）の場合、常に活性化状態に存在する。プライマリセルに対応するダウンリンクコンポーネントキャリアをダウンリンクプライマリコンポーネントキャリア（ＤｏｗｎＬｉｎｋ  Ｐｒｉｍａｒｙ  Ｃｏｍｐｏｎｅｎｔ  Ｃａｒｒｉｅｒ、ＤＬ  ＰＣＣ）といい、プライマリセルに対応するアップリンクコンポーネントキャリアをアップリンクプライマリコンポーネントキャリア（ＵＬ  ＰＣＣ）という。
【０１０２】
ＳＣＣ（ｓｅｃｏｎｄａｒｙ  ｃｏｍｐｏｎｅｎｔ  ｃａｒｒｉｅｒ）は、セカンダリセルに対応するＣＣを意味する。即ち、ＳＣＣは、ＰＣＣ以外に端末に割り当てられたＣＣであり、ＳＣＣは、端末がＰＣＣ以外に追加的なリソース割当などのために拡張された搬送波（Ｅｘｔｅｎｄｅｄ  Ｃａｒｒｉｅｒ）であり、活性化または非活性化状態に分けられる。セカンダリセルに対応するダウンリンクコンポーネントキャリアをダウンリンクセカンダリコンポーネントキャリア（ＤＬ  Ｓｅｃｏｎｄａｒｙ  ＣＣ、ＤＬ  ＳＣＣ）といい、セカンダリセルに対応するアップリンクコンポーネントキャリアをアップリンクセカンダリコンポーネントキャリア（ＵＬ  ＳＣＣ）という。
【０１０３】
プライマリセルとセカンダリセルは、下記のような特徴を有する。
【０１０４】
第一に、プライマリセルは、ＰＵＣＣＨの送信のために使われる。第二に、プライマリセルは、常に活性化されており、セカンダリセルは、特定条件によって活性化／非活性化される搬送波である。第三に、プライマリセルが無線リンク失敗（Ｒａｄｉｏ  Ｌｉｎｋ  Ｆａｉｌｕｒｅ；以下、ＲＬＦ）を経験する時、ＲＲＣ再接続がトリガリング（ｔｒｉｇｇｅｒｉｎｇ）される。第四に、プライマリセルは、セキュリティキー（ｓｅｃｕｒｉｔｙ  ｋｅｙ）変更やＲＡＣＨ（Ｒａｎｄｏｍ  Ａｃｃｅｓｓ  ＣＨａｎｎｅｌ）手順と伴うハンドオーバ手順によって変更されることができる。第五に、ＮＡＳ（ｎｏｎ−ａｃｃｅｓｓ  ｓｔｒａｔｕｍ）情報は、プライマリセルを介して受信する。第六に、ＦＤＤシステムの場合、プライマリセルは、常時ＤＬ  ＰＣＣとＵＬ  ＰＣＣが対（ｐａｉｒ）で構成される。第七に、各端末毎に異なるコンポーネントキャリア（ＣＣ）がプライマリセルに設定されることができる。第八に、プライマリセルは、ハンドオーバ、セル選択／セル再選択過程を介してのみ取り替えられることができる。新規セカンダリセルの追加において、専用（ｄｅｄｉｃａｔｅｄ）セカンダリセルのシステム情報の送信にＲＲＣシグナリングが使われることができる。
【０１０５】
サービングセルを構成するコンポーネントキャリアは、ダウンリンクコンポーネントキャリアが一つのサービングセルを構成することもでき、ダウンリンクコンポーネントキャリアとアップリンクコンポーネントキャリアが連結設定されて一つのサービングセルを構成することができる。しかし、一つのアップリンクコンポーネントキャリアのみではサービングセルが構成されない。
【０１０６】
コンポーネントキャリアの活性化／非活性化は、サービングセルの活性化／非活性化の概念と同じである。例えば、サービングセル１がＤＬ  ＣＣ  １で構成されていると仮定する時、サービングセル１の活性化は、ＤＬ  ＣＣ  １の活性化を意味する。もし、サービングセル２がＤＬ  ＣＣ  ２とＵＬ  ＣＣ  ２が連結設定されて構成されていると仮定する時、サービングセル２の活性化は、ＤＬ  ＣＣ  ２とＵＬ  ＣＣ  ２の活性化を意味する。このような意味で、各コンポーネントキャリアは、サービングセル（ｃｅｌｌ）に対応されることができる。
【０１０７】
ダウンリンクとアップリンクとの間にアグリゲーションされるコンポーネントキャリアの数は異なるように設定されることができる。ダウンリンクＣＣ数とアップリンクＣＣ数が同じ場合を対称的（ｓｙｍｍｅｔｒｉｃ）アグリゲーションといい、その数が異なる場合を非対称的（ａｓｙｍｍｅｔｒｉｃ）アグリゲーションという。また、ＣＣの大きさ（即ち、帯域幅）は互いに異なる。例えば、７０ＭＨｚ帯域の構成のために、５個のＣＣが使われるとする時、５ＭＨｚ  ＣＣ（ｃａｒｒｉｅｒ  ＃０）＋２０ＭＨｚ  ＣＣ（ｃａｒｒｉｅｒ  ＃１）＋２０ＭＨｚ  ＣＣ（ｃａｒｒｉｅｒ  ＃２）＋２０ＭＨｚ  ＣＣ（ｃａｒｒｉｅｒ  ＃３）＋５ＭＨｚ  ＣＣ（ｃａｒｒｉｅｒ  ＃４）のように構成されることもできる。
【０１０８】
前述したように、キャリアアグリゲーションシステムでは、単一搬送波システムと違って、複数のコンポーネントキャリア（ｃｏｍｐｏｎｅｎｔ  ｃａｒｒｉｅｒ、ＣＣ）、即ち、複数のサービングセルをサポートすることができる。
【０１０９】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して、他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるダウンリンクＣＣを介して送信されることができ、ＵＬグラントを含むＰＤＣＣＨが送信されたダウンリンクＣＣとリンクされたアップリンクＣＣでない他のアップリンクＣＣを介してＰＵＳＣＨが送信されることができる。このように交差搬送波スケジューリングをサポートするシステムでは、ＰＤＣＣＨが制御情報を提供するＰＤＳＣＨ／ＰＵＳＣＨがいずれのＤＬ  ＣＣ／ＵＬ  ＣＣを介して送信されるかを知らせる搬送波指示子が必要である。以下、このような搬送波指示子を含むフィールドを搬送波指示フィールド（ｃａｒｒｉｅｒ  ｉｎｄｉｃａｔｉｏｎ  ｆｉｅｌｄ、ＣＩＦ）という。
【０１１０】
交差搬送波スケジューリングをサポートするキャリアアグリゲーションシステムは、従来のＤＣＩ（ｄｏｗｎｌｉｎｋ  ｃｏｎｔｒｏｌ  ｉｎｆｏｒｍａｔｉｏｎ）フォーマットに搬送波指示フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥに基づいているリソースマッピング）を再使用することができる。
【０１１１】
図８は、キャリアアグリゲーションシステムにおける交差搬送波スケジューリングを例示する。
【０１１２】
図８を参照すると、基地局は、ＰＤＣＣＨモニタリングＤＬ  ＣＣ（モニタリングＣＣ）セットを設定することができる。ＰＤＣＣＨモニタリングＤＬ  ＣＣセットは、アグリゲーションされた全体ＤＬ  ＣＣのうち一部ＤＬ  ＣＣで構成され、交差搬送波スケジューリングが設定されると、端末は、ＰＤＣＣＨモニタリングＤＬ  ＣＣセットに含まれているＤＬ  ＣＣに対してのみＰＤＣＣＨモニタリング／デコーディングを実行する。即ち、基地局は、ＰＤＣＣＨモニタリングＤＬ  ＣＣセットに含まれているＤＬ  ＣＣを介してのみスケジューリングしようとするＰＤＳＣＨ／ＰＵＳＣＨに対するＰＤＣＣＨを送信する。ＰＤＣＣＨモニタリングＤＬ  ＣＣセットは、端末特定的、端末グループ特定的、またはセル特定的に設定されることができる。
【０１１３】
図８では、３個のＤＬ  ＣＣ（ＤＬ  ＣＣ  Ａ、ＤＬ  ＣＣ  Ｂ、ＤＬ  ＣＣ  Ｃ）がアグリゲーションされ、ＤＬ  ＣＣ  ＡがＰＤＣＣＨモニタリングＤＬ  ＣＣに設定された例を示す。端末は、ＤＬ  ＣＣ  ＡのＰＤＣＣＨを介してＤＬ  ＣＣ  Ａ、ＤＬ  ＣＣ  Ｂ、ＤＬ  ＣＣ  ＣのＰＤＳＣＨに対するＤＬグラントを受信することができる。ＤＬ  ＣＣ  ＡのＰＤＣＣＨを介して送信されるＤＣＩにはＣＩＦが含まれることで、いずれのＤＬ  ＣＣに対するＤＣＩであるかを示すことができる。
【０１１４】
前記ＣＩＦの値は、ｓｅｒｖｉｎｇ  ｃｅｌｌ  ｉｎｄｅｘの値と同じである。前記ｓｅｒｖｉｎｇ  ｓｅｌｌ  ｉｎｄｅｘは、ＲＲＣ信号を介してＵＥに送信される。前記ｓｅｒｖｉｎｇ  ｓｅｌｌ  ｉｎｄｅｘは、サービングセル、即ち、一次セル（プライマリセル）または二次セル（セカンダリセル）の識別に使われる値を含む。例えば、値０は、一次セル（プライマリセル）を示すことができる。
【０１１５】
図９は、キャリアアグリゲーションシステムにおいて、交差搬送波スケジューリングが設定された場合、スケジューリング例を示す。
【０１１６】
図９を参照すると、ＤＬ  ＣＣ  ０、ＤＬ  ＣＣ  ２、ＤＬ  ＣＣ  ４がＰＤＣＣＨモニタリングＤＬ  ＣＣセットである。端末は、ＤＬ  ＣＣ  ０のＣＳＳで、ＤＬ  ＣＣ  ０、ＵＬ  ＣＣ  ０（ＤＬ  ＣＣ  ０とＳＩＢ２を介してリンクされたＵＬ  ＣＣ）に対するＤＬグラント／ＵＬグラントを検索する。また、ＤＬ  ＣＣ  ０のＳＳ  １で、ＤＬ  ＣＣ  １、ＵＬ  ＣＣ  １に対するＤＬグラント／ＵＬグラントを検索する。ＳＳ  １は、ＵＳＳの一例である。即ち、ＤＬ  ＣＣ  ０のＳＳ  １は、交差搬送波スケジューリングを実行するＤＬグラント／ＵＬグラントを検索する検索空間である。
【０１１７】
一方、キャリアアグリゲーション（ｃａｒｒｉｅｒ  ａｇｇｒｅｇａｔｉｏｎ；ＣＡ）技術は、前述したように、大いに、インターバンド（ｉｎｔｅｒ−ｂａｎｄ）ＣＡ技術とイントラバンド（ｉｎｔｒａ−ｂａｎｄ）ＣＡ技術とに分けられる。前記インターバンド（ｉｎｔｅｒ−ｂａｎｄ）ＣＡは、互いに異なる帯域に存在する各ＣＣをアグリゲーションして使用する方法であり、イントラバンド（ｉｎｔｒａ−ｂａｎｄ）ＣＡは、同じ周波数帯域内の各ＣＣをアグリゲーションして使用する方法である。また、前記ＣＡ技術は、より詳しくは、再びイントラバンド（Ｉｎｔｒａ−Ｂａｎｄ）連続（Ｃｏｎｔｉｇｕｏｕｓ）ＣＡ、イントラバンド（Ｉｎｔｒａ−Ｂａｎｄ）非連続（Ｎｏｎ−Ｃｏｎｔｉｇｕｏｕｓ）ＣＡ、インターバンド（Ｉｎｔｅｒ−Ｂａｎｄ）非連続（Ｎｏｎ−Ｃｏｎｔｉｇｕｏｕｓ）ＣＡに分れられる。
【０１１８】
図１０は、イントラバンド（ｉｎｔｒａ−ｂａｎｄ）キャリアアグリゲーション（Ｃａｒｒｉｅｒ  Ａｇｇｒｅｇａｔｉｏｎ；ＣＡ）を示す概念図である。
【０１１９】
図１０の（ａ）は、イントラバンド連続（ｃｏｎｔｉｎｇｕｏｕｓ）ＣＡを示し、図１０の（ｂ）は、イントラバンド非連続（ｎｏｎ−ｃｏｎｔｉｎｇｕｏｕｓ）ＣＡを示す。
【０１２０】
ＬＴＥ−Ａｄｖａｎｃｅｄの場合、高速無線送信の実現のために、アップリンク（Ｕｐｌｉｎｋ）ＭＩＭＯとキャリアアグリゲーション（Ｃａｒｒｉｅｒ  Ａｇｇｒｅｇａｔｉｏｎ）を含む多様な技法が追加されている。ＬＴＥ−Ａｄｖａｎｃｅｄで論議されているＣＡは、図１０の（ａ）に示すイントラバンド（ｉｎｔｒａ−ｂａｎｄ）連続（Ｃｏｎｔｉｇｕｏｕｓ）ＣＡと、図１０の（ｂ）に示すイントラバンド（ｉｎｔｒａ−ｂａｎｄ）非連続（Ｎｏｎ−Ｃｏｎｔｉｇｕｏｕｓ）ＣＡとに分けられる。
【０１２１】
図１１は、インターバンド（ｉｎｔｅｒ−ｂａｎｄ）キャリアアグリゲーションを示す概念図である。
【０１２２】
図１１の（ａ）は、インターバンドＣＡのための低いバンドと高いバンドの結合を示し、図１１の（ｂ）は、インターバンドＣＡのための類似の周波数バンドの結合を示す。
【０１２３】
即ち、インターバンドキャリアアグリゲーションは、図１１の（ａ）に示すように、インターバンド（ｉｎｔｅｒ−ｂａｎｄ）ＣＡのＲＦ特性が互いに異なる、即ち、低いバンド（ｌｏｗ−ｂａｎｄ）と高いバンド（ｈｉｇｈ−ｂａｎｄ）のキャリア（ｃａｒｒｉｅｒ）間のインターバンド（ｉｎｔｅｒ−ｂａｎｄ）ＣＡと、図１１の（ｂ）に示すように、ＲＦ（ｒａｄｉｏ  ｆｒｅｑｕｅｎｃｙ）特性が類似して各コンポーネントキャリア（ｃｏｍｐｏｎｅｎｔ  ｃａｒｒｉｅｒ）別に共通のＲＦ端子を使用することができる類似周波数のインターバンド（ｉｎｔｅｒ−ｂａｎｄ）ＣＡとに分けられる。
【０１２４】
【表２】
0006050511.tif 000003
【０１２５】
一方、３ＧＰＰ  ＬＴＥ／ＬＴＥ−Ａシステムでは、以上の表２のようなアップリンク及びダウンリンクのための動作帯域（ｏｐｅｒａｔｉｎｇ  ｂａｎｄｓ）に対して定義している。表２を基準にして図１０及び図１１の四つのＣＡケース（ｃａｓｅ）が区分される。
【０１２６】
ここで、ＦＵＬ＿ｌｏｗは、アップリンク動作帯域の最も低い周波数を意味する。また、ＦＵＬ＿ｈｉｇｈは、アップリンク動作帯域の最も高い周波数を意味する。また、ＦＤＬ＿ｌｏｗは、ダウンリンク動作帯域の最も低い周波数を意味する。また、ＦＤＬ＿ｈｉｇｈは、ダウンリンク動作帯域の最も高い周波数を意味する。
【０１２７】
表２のように動作帯域が決められている時、各国家の周波数配分機構は、各国の状況に合わせてサービス事業者に特定周波数を配分することができる。
【０１２８】
一方、ＣＡ帯域クラス及び対応する保護帯域は、以下の表の通りである。
【０１２９】
【表３】
0006050511.tif 000004
【０１３０】
以上の表において、大括弧［  ］は、まだ確実に決められておらず、変更可能であることを示す。ＦＦＳは、Ｆｏｒ  Ｆｕｒｔｈｅｒ  Ｓｔｕｄｙの略字である。ＮＲＢ＿ａｇｇは、アグリゲーションチャネル帯域内にアグリゲーションされたＲＢの個数である。
【０１３１】
以下の表４は、各々のＣＡ  Ｃｏｎｆｉｇｕｒａｔｉｏｎと対応するＢａｎｄｗｉｄｔｈのセットを示す。
【０１３２】
【表４】
0006050511.tif 000005
【０１３３】
以上の表において、ＣＡ設定（ＣＡ  ｃｏｎｆｉｇｕｒａｔｉｏｎ）は、動作帯域とＣＡ帯域幅クラスを示す。例えば、ＣＡ＿１Ｃは、表２の動作帯域２と表３のＣＡ帯域クラスＣを意味する。以上の表に示されていないバンドに対しては全てのＣＡ動作クラスが適用されることができる
【０１３４】
図１２は、不要放射（ｕｎｗａｎｔｅｄ  ｅｍｉｓｓｉｏｎ）の概念を示し、図１３は、図１２に示す不要放射のうち外部帯域での放射を具体的に示し、図１４は、図１２に示すチャネル帯域（ＭＨｚ）とリソースブロック（ＲＢ）の関係を示す。
【０１３５】
図１２を参照して分かるように、任意の送信モデムが任意のＥ−ＵＴＲＡ帯域内で割り当てられたチャネル帯域幅上で信号を送信する。
【０１３６】
ここで、チャネル帯域幅は、図１４を参照して分かるように定義される。即ち、送信帯域幅は、チャネル帯域幅（ＢＷＣｈａｎｎｅｌ）より小さく設定される。送信帯域幅は、複数のリソースブロック（Ｒｅｓｏｕｒｃｅ  Ｂｌｏｃｋ：ＲＢ）により設定される。また、チャネル外端は、チャネル帯域幅により分離された最も高い且つ低い周波数である。
【０１３７】
一方、前述したように、３ＧＰＰ  ＬＴＥシステムでは、チャネル帯域幅として１．４ＭＨｚ、３ＭＨｚ、５ＭＨｚ、１０ＭＨｚ、１５ＭＨｚ及び２０ＭＨｚをサポートする。このようなチャネル帯域幅とリソースブロックの個数との関係は、以下の表の通りである。
【０１３８】
【表５】
0006050511.tif 000006
【０１３９】
また、図１２を参照すると、ΔｆＯＯＢ帯域で不要放射が発生され、図示されたように、スプリアス（Ｓｐｕｒｉｏｕｓ）領域上でも不要放射が発生される。ここで、ΔｆＯＯＢは、外部帯域（Ｏｕｔ  Ｏｆ  Ｂａｎｄ：ＯＯＢ）の周波数の大きさを意味する。一方、外部帯域（Ｏｕｔ  Ｏｆ  Ｂａｎｄ）上の放射（ｅｍｉｓｓｉｏｎ）は、意図された送信帯域と近接した帯域で発生することを意味する。スプリアス放射とは、意図された送信帯域から遠く離れた周波数帯域まで不要波が放射されることを意味する。
【０１４０】
一方、３ＧＰＰリリース１０は、周波数範囲によって、超えてはならない基本的なＳＥ（Ｓｐｕｒｉｏｕｓ  ｅｍｉｓｓｉｏｎ）を定義している。
【０１４１】
一方、図１３に示すように、Ｅ−ＵＴＲＡチャネル帯域１３０１で送信を実行すると、外部帯域（図示されているｆＯＯＢ領域内の１３０２、１３０３、１３０４）に漏れ、即ち、不要放射される。
【０１４２】
ここで、図示されているＵＴＲＡＡＣＬＲ１は、端末がＥ−ＵＴＲＡチャネル１３０１で送信する時、隣接チャネル１３０２がＵＴＲＡのためのものである場合、前記隣接チャネル１３０２、即ち、ＵＴＲＡチャネルに漏れる比率、即ち、隣接チャネル漏れ比である。また、前記ＵＴＲＡＡＣＬＲ２は、図１３に示すように、隣接チャネル１３０２の隣に位置するチャネル１３０３がＵＴＲＡのためのものである場合、前記隣接チャネル１３０３、即ち、ＵＴＲＡチャネルに漏れる比率、即ち、隣接チャネル漏れ比である。また、前記Ｅ−ＵＴＲＡＡＣＬＲは、図１３に示すように、端末がＥ−ＵＴＲＡチャネル１３０１で送信する時、隣接チャネル１３０４、即ち、Ｅ−ＵＴＲＡチャネルに漏れる比率、即ち、隣接チャネル漏れ比である。
【０１４３】
以上、説明したように、割り当てられたチャネル帯域で送信を実行すると、隣接チャネルに不要放射が発生する。
【０１４４】
説明したように、無線送信により、互いに隣接した帯域に不要放射（ｕｎｗａｎｔｅｄ  ｅｍｉｓｓｉｏｎ）が発生するようになる。このとき、基地局送信による放射による干渉は、基地局の特性上、高価及び大きい大きさのＲＦフィルタ設計などにより隣接帯域に流入される干渉量を許容基準以下に減らすことができる。それに対し、端末の場合、端末大きさの制限、電力増幅器や前置デュプレックスフィルタＲＦ素子に対する価格制限などのため、隣接帯域に引き込まれることを完全に防止しにくい。
【０１４５】
したがって、端末の送信電力を制限することが必要である。
【０１４６】
図１５は、端末の送信電力を制限する方法を示す例示図である。
【０１４７】
図１５の（ａ）を参照して分かるように、端末１００は、送信電力を制限して送信を実行する。
【０１４８】
送信電力を制限するためのＭＰＲ（Ｍａｘｉｍｕｍ  Ｐｏｗｅｒ  Ｒｅｄｕｃｔｉｏｎ）値は、ＰＡＰＲ（Ｐｅａｋ−ｔｏ−Ａｖｅｒａｇｅ  Ｐｏｗｅｒ  Ｒａｔｉｏ）が大きい場合、これに対する電力増幅器（Ｐｏｗｅｒ  ａｍｐｌｉｆｉｅｒ：ＰＡ）の線形性が落ちるようになる。このような線形性を維持するために変調（ｍｏｄｕｌａｔｉｏｎ）方式によって最大２ｄＢのＭＰＲ値を適用することができる。これは以下の表の通りである。
【０１４９】
【表６】
0006050511.tif 000007
【０１５０】
以上の表６は、パワークラス１及び３に対するＭＰＲの値を示す。
【０１５１】
＜３ＧＰＰリリース１１によるＭＰＲ＞
【０１５２】
一方、３ＧＰＰリリース１１によると、シングルＣＣ（Ｃｏｍｐｏｎｅｎｔ  ｃａｒｒｉｅｒ）において、端末は、マルチクラスタ送信（ｍｕｌｔｉ−ｃｌｕｓｔｅｒｅｄ  ｔｒａｎｓｍｉｓｓｉｏｎ）が採択され、ＰＵＳＣＨとＰＵＣＣＨを同時に送信することができる。このように、ＰＵＳＣＨとＰＵＣＣＨを同時送信すると、帯域外部（Ｏｕｔ−Ｏｆ−Ｂａｎｄ）領域で発生するＩＭ３成分（相互変調（ｉｎｔｅｒｍｏｄｕｌａｔｉｏｎ）により発生した歪曲信号を意味する）の大きさが既存に比べて大きくなることができ、これによって、隣接した帯域でのより大きい干渉として作用することができるため、端末がアップリンク送信により守らなければならない端末の放射要求事項（ｅｍｉｓｓｉｏｎ  ｒｅｑｕｉｒｅｍｅｎｔｓ）である一般スプリアス放射（ｇｅｎｅｒａｌ  Ｓｐｕｒｉｏｕｓ  Ｅｍｉｓｓｉｏｎ）、ＡＣＬＲ（Ａｄｊａｃｅｎｔ  Ｃｈａｎｎｅｌ  Ｌｅａｋａｇｅ  Ｒａｔｉｏ）及び一般ＳＥＭ（ｇｅｎｅｒａｌ  Ｓｐｅｃｔｒｕｍ  Ｅｍｉｓｓｉｏｎ  Ｍａｓｋ）を満たすことができるように、下記のようにＭＰＲ値を設定することができる。
【０１５３】
（数１）
ＭＰＲ＝ＣＥＩＬ｛ＭＡ，０．５｝
【０１５４】
ここで、ＭＡは、下記の通りである。
【０１５５】
ＭＡ＝［８．０］−［１０．１２］Ａ；０＜Ａ＝［０．３３］
【０１５６】
［５．６７］−［３．０７］Ａ；［０．３３］＜Ａ＝［０．７７］
【０１５７】
［３．３１］；［０．７７］＜Ａ＝［１．０］
【０１５８】
ここで、Ａは、下記の通りである。
【０１５９】
Ａ＝ＮＲＢ＿ａｌｌｏｃ／ＮＲＢ・
【０１６０】
前記ＮＲＢ＿ａｇｇは、チャネル帯域内のＲＢの個数であり、ＮＲＢ＿ａｌｌｏｃは、同時に送信されるＲＢの全体個数を示す。
【０１６１】
ＣＥＩＬ｛ＭＡ，０．５｝は、０．５ｄＢ単位に４捨５入する関数を意味する。即ち、ＭＰＲ∈［３．０  ３．５  ４．０  ４．５  ５．０  ５．５  ６．０  ６．５  ７．０  ７．５  ８．０］である。
【０１６２】
前記数式２に示すＭＰＲ値は、一般的なＰＡ（Ｐｏｗｅｒ  Ａｍｐｌｉｆｉｅｒ）を使用した時、適用されるＭＰＲ値である。もし、最近研究中である高効率ＰＡ（Ｈｉｇｈ  ｅｆｆｉｃｉｅｎｃｙ  Ｐｏｗｅｒ  Ａｍｐｌｉｆｉｅｒ：ＨＥＰＡ）を使用する場合、より大きいレベルのＭＰＲ値が必要である。しかし、前記ＨＥＰＡで電力消耗と発熱を３０％以上減少させることができるという長所があるが、ＭＰＲ値をより大きく要求することによってセルカバレッジが減少するという短所がある。また、線形性は、現在まで２０ＭＨｚ帯域幅までのみ保障されるため、キャリアアグリゲーション（ＣＡ）を考慮した場合、線形性が保障されないという短所がある。
【０１６３】
＜一般ＭＰＲ＞
【０１６４】
他方、ＣＡを考慮した場合、アップリンクのチャネル帯域幅（ｃｈａｎｎｅｌ  ｂａｎｄｗｉｄｔｈ）は、最大４０ＭＨｚ（２０ＭＨｚ＋２０ＭＨｚ）まで増加されることができ、これによって、より大きいＭＰＲ値が必要である。
【０１６５】
【表７】
0006050511.tif 000008
【０１６６】
以上の表７は、パワークラス３に対するＭＰＲ値を示す。
【０１６７】
以上の表７のように、イントラ連続ＣＡのクラスＣの場合、変調方式によって、最大３ｄＢのＭＰＲ値を適用することができる。一方、ＣＡクラスＣ環境下で、マルチクラスタ送信を考慮した場合、以下の数式のようなＭＰＲ値を満たさなければならない。
【０１６８】
（数２）
ＭＰＲ＝ＣＥＩＬ｛ＭＡ，０．５｝
【０１６９】
ここで、ＭＡは、下記の通りである。
【０１７０】
ＭＡ＝８．２；０＝Ａ＜０．０２５
【０１７１】
９．２−４０Ａ；０．０２５＝Ａ＜０．０５
【０１７２】
８  １６Ａ；０．０５＝Ａ＜０．２５
【０１７３】
４．８３  ３．３３Ａ；０．２５＝Ａ＝０．４
【０１７４】
３．８３  ０．８３Ａ；０．４＝Ａ＝１
【０１７５】
図１５の（ｂ）を参照して分かるように、基地局は、ネットワーク信号（ＮＳ）を端末１００に送信してＡ−ＭＰＲ（Ａｄｄｉｔｉｏｎａｌ  Ｍａｘｉｍｕｍ  Ｐｏｗｅｒ  Ｒｅｄｕｃｔｉｏｎ）を適用させることができる。前記Ａ−ＭＰＲは、前記言及したＭＰＲと違って、隣接した帯域などに干渉などの影響を与えないために、基地局が特定の動作帯域で動作する端末１００にネットワーク信号（ＮＳ）を送信することで、端末１００が追加的に電力減少を実行するようにする。即ち、ＭＰＲを適用した端末がネットワーク信号（ＮＳ）を受信すると、追加的にＡ−ＭＰＲを適用して送信電力を決定する。
【０１７６】
以下の表は、ネットワーク信号によるＡ−ＭＰＲの値を示す。
【０１７７】
【表８】
0006050511.tif 000009
【０１７８】
以下の表は、ネットワーク信号がＮＳ＿０７の時のＡ−ＭＰＲ値を示す。
【０１７９】
【表９】
0006050511.tif 000010
【０１８０】
以上の表において、ＲＢｓｔａｒｔは、送信ＲＢの最も低いＲＢインデックスを示す。また、ＬＣＲＢは、連続するＲＢ割当の長さを示す。
【０１８１】
例えば、帯域１３で１０ＭＨｚチャネル帯域幅を使用してサービスの提供を受ける端末がネットワーク信号としてＮＳ＿０７を受信する場合、端末は、以上の表によって送信電力を決定して送信する。即ち、端末が受信したアップリンクグラント（Ｕｐｌｉｎｋ  ｇｒａｎｔ）をデコーディングした時、ＲＢの開始位置が１０番目のＲＢから５ＲＢを連続的に送ることを指示する場合、端末は、Ａ−ＭＰＲ値を最大１２ｄＢに適用して送信することができる。したがって、端末の送信電力は、以下のＰｃｍａｘを求める数式のように適用することができる。
【０１８２】
前記Ｐｃｍａｘは、下記の条件を満たさなければならない。
【０１８３】
（数３）
ＰＣＭＡＸ＿Ｌ＝ＰＣＭＡＸ＝ＰＣＭＡＸ＿Ｈ
【０１８４】
ここで、ＰＣＭＡＸ＿Ｌは、下記のように求められる。
【０１８５】
（数４）
ＰＣＭＡＸ＿Ｌ＝ＭＩＮ｛ＰＥＭＡＸ−ＴＣ，ＰＰｏｗｅｒＣｌａｓｓ−ＭＡＸ（ＭＰＲ＋Ａ−ＭＰＲ，Ｐ−ＭＰＲ）−ＴＣ｝
【０１８６】
ＰＣＭＡＸ＿Ｈは、下記のように求められる。
【０１８７】
（数５）
ＰＣＭＡＸ＿Ｈ＝ＭＩＮ｛ＰＥＭＡＸ，ＰＰｏｗｅｒＣｌａｓｓ｝
【０１８８】
前記ＰＥＭＡＸは、ＲＲＣ信号を介してＰ−Ｍａｘとして与えられる。前記ＰＰｏｗｅｒＣｌａｓｓは、許容値を考慮する場合、最大ＵＥのパワーを示す。前記Ｐ−ＭＰＲは、許容可能な最大送信パワー減少である。前記Ｐ−ＭＰＲは、ＰＣＭＡＸを求める数式から求められることができる。前記ＴＣは、０ｄＢまたは１．５ｄＢである。
【０１８９】
＜ＣＡによるＡ−ＭＰＲ＞
【０１９０】
他方、ＣＡを考慮した場合、アップリンクのチャネル帯域幅（ｃｈａｎｎｅｌ  ｂａｎｄｗｉｄｔｈ）は、最大４０ＭＨｚ（２０ＭＨｚ＋２０ＭＨｚ）まで増加されることができ、これによって、より大きいＭＰＲ値が必要である。したがって、ＣＡ環境で特定帯域を保護するために、基地局がネットワーク信号を端末に送信する場合、前記特定帯域で動作する端末に追加的な電力減少を実行することによって隣接した帯域を保護する。
【０１９１】
以下の表は、ネットワーク信号と相応するＣＡ構成を示す。
【０１９２】
【表１０】
0006050511.tif 000011
【０１９３】
前記ＣＳ＿ＮＳ＿０１のためのＡ−ＭＰＲは、以下の表に詳細に整理されている。
【０１９４】
【表１１】
0006050511.tif 000012
【０１９５】
前記ＣＳ＿ＮＳ＿０２のためのＡ−ＭＰＲは、以下の表に詳細に整理されている。
【０１９６】
【表１２】
0006050511.tif 000013
【０１９７】
前記ＣＳ＿ＮＳ＿０３のためのＡ−ＭＰＲは、以下の表に詳細に整理されている。
【０１９８】
【表１３】
0006050511.tif 000014
【０１９９】
一方、以下、基準感度（ｒｅｆｅｒｅｎｃｅ  ｓｅｎｓｉｔｉｖｉｔｙ：ＲＥＦＳＥＮＳ）に対して説明する。
【０２００】
基準感度（ＲＥＦＳＥＮＳ）は、受信感度で信号対雑音比（ＳＮＲ）、受信機帯域幅、変調度及び信号源のインピーダンスなどを規定した値に対する最大使用感度を意味する。ここで、受信感度とは、規定出力を得るための受信機入力電圧である。
【０２０１】
ＬＴＥ移動通信システムにおいて、端末が同じサブフレーム上でアップリンクとダウンリンクが同時にスケジュールされている時、端末のアップリンクＲＦチェインとダウンリンクＲＦチェインとの間に妨害漏れが存在できる。即ち、不要（ｕｎｗａｎｔｅｄ）送信信号が受信端に漏れることを意味する。これを、二次混変調成分（または、相互変調寄生信号）、即ち、ＩＭ２成分（Ｉｎｔｅｒ−Ｍｏｄｕｌａｔｉｏｎ  ｐｒｏｄｕｃｔ）という。ＩＭ成分には受信性能を基準感度近く落とす成分が存在する。
【０２０２】
図１６は、基準感度を示す例示図である。
【０２０３】
図１６を参考すると、ＬＴＥ５ＭＨｚ帯域でＱＰＳＫ変調を使用する場合に対する例示的な基準感度（ＲＥＦＳＥＮＳ）が示されている。
【０２０４】
前記基準感度（ＲＥＦＳＥＮＳ）は、図１６に示すように以下の数式により決定されることができる。
【０２０５】
（数６）
ＲＥＦＳＥＮＳ＝ｋＴＢ＋１０ｌｏｇ（ＣＨ＿ＢＷ）＋ＮＦ＋ＩＭ＋ＳＩＮＲ  ３＋ＤＦＢ（ｄＢｍ）
【０２０６】
ここで、ｋＴＢ＝−１７４ｄＢｍ／Ｈｚであり、ＮＦ＝９  ｆｏｒ  ＵＥ（５  ｆｏｒ  ＢＳ）である。
【０２０７】
−３は、受信機のダイバーシティゲインを意味する。
【０２０８】
ＤＦＢは、デュプレクサのような素子の設計変形を反映した追加的な緩和である。前記ＳＩＮＲは、低いＳＮＲ（ＱＰＳＫ、Ｒ＝１／３）に対して−１である。また、ＩＭ＝２．５である。
【０２０９】
ＬＴＥシステムにおいて、５ＭＨｚチャネルを仮定する場合、図示されているように、実際ＲＢ割当が可能な有効チャネルは４．５ＭＨｚであり、これを反映して基準感度（ＲＥＦＳＥＮＳ）レベルを計算すると、下記のように決定される。
【０２１０】
（数７）
ＲＥＦＳＥＮＳ＝ｋＴＢ＋１０ｌｏｇ（ＣＨ＿ＢＷ）＋ＮＦ＋ＩＭ＋ＳＩＮＲ  ３＋ＤＦＢ（ｄＢｍ）＝−１７４＋６６．５＋９＋２．５−１−３＋０
【０２１１】
このように求められた基準感度（ＲＥＦＳＥＮＳ）の理論的なレベルは、チャネルのアップリンク帯域とダウンリンク帯域との間の間隔（ｇａｐ）、通過帯域幅（ｐａｓｓ  ｂａｎｄｗｉｄｔｈ）、デュプレックスフィルタ（ｄｕｐｌｅｘｅｒ  ｆｉｌｔｅｒ）特性を考慮すると、以下の表のように整理されることができる。即ち、帯域１と帯域４のようにダウンリンクとアップリンクとの間の間隔（ｇａｐ）が広く、且つ通過帯域（ｐａｓｓ  ｂａｎｄ）が少ない場合、一般的なフィルタの特性に従い、このような場合、受信減少を減少させる影響が存在しない。しかし、帯域３のようにアップリンク帯域とダウンリンク帯域との間の間隔（ｇａｐ）が２０ＭＨｚであり、通過帯域（ｐａｓｓ  ｂａｎｄ）が広い、即ち、７５ＭＨｚである場合、既存受信感度にＤＦＢ＝３ｄＢを反映して−９７ｄＢｍになることをを知ることができる。
【０２１２】
以下の表は、ＱＰＳＫ変調を使用する時、基準感度を示す。
【０２１３】
【表１４】
0006050511.tif 000015
【０２１４】
以下の表は、ＱＰＳＫ変調を使用する時、ＣＡ環境で基準感度を示す。
【０２１５】
【表１５】
0006050511.tif 000016
【０２１６】
以上の表において、帯域８の場合、実際完全に重ならないため、ＲＢ制限を利用して重ならない地域でのみテストを実施し、この場合、既存の帯域３要求事項を従うようになる。しかし、重なる場合は、基準感度テストを実行しないようになる。
【０２１７】
一方、ハーモニック（ｈａｒｍｏｎｉｃ）成分を除去するためのフィルタ、及びデュプレクサとダイプレクサ（ｄｉｐｌｅｘｅｒ）を結合したクワッドプレクサ（Ｑｕａｄｐｌｅｘｅｒ）などを使用するマルチモードマルチＲＡＴ（ｒａｄｉｏ  ａｃｃｅｓｓ  ｔｅｃｈｎｏｌｏｇｙ）端末である場合、ＤＦＢによる損失が追加され、端末の受信感度が多少緩和される構造になる。
【０２１８】
図１７ａは、一般的な受信感度のシミュレーション環境を示す例示図であり、図１７ｂは、本明細書の一開示によって、イントラバンド非連続ＣＡが設定された場合、受信感度のシミュレーション環境を示す例示図である。
【０２１９】
図１７ａを参照すると、ＣＡが設定されない場合の一般的なシミュレーション環境が示されている。このような状況で、アップリンクの割当をダウンリンク帯域と最も近い部分から１ＲＢずつ増加させる時、混変調成分によりダウンリンク上での基準感度の低下程度を観察することができる。
【０２２０】
一方、図１７ｂを参照すると、本明細書の一開示によって、イントラバンド非連続ＣＡが設定された場合のためのシミュレーション環境が示されている。このようにイントラバンド非連続ＣＡが設定されている時、一次コンポーネントキャリア（Ｐｒｉｍａｒｙ  Ｃｏｍｐｏｎｅｎｔ  Ｃａｒｒｉｅｒ：ＰＣＣ）のアップリンク上でのリソース割当を二次コンポーネントキャリア（Ｓｅｃｏｎｄａｒｙ  ｃｏｍｐｏｎｅｎｔ  ｃａｒｒｉｅｒ：ＳＣＣ）のダウンリンク帯域と最も近い位置から１ＲＢずつ増加させる時、混変調成分により二次コンポーネントキャリア（ＳＣＣ）のダウンリンク上での基準感度の低下程度を観察するテストを実行した。このようなＣＡ環境の場合、アップリンク送信による干渉が存在するため、受信感度が低下されることができる。
【０２２１】
基本的なＲＦシミュレーション仮定及びパラメータに対して説明すると、下記の通りである。
【０２２２】
−送信及び受信アーキテクチャ：単独のＰＡ（Ｐｏｗｅｒ  Ａｍｐｌｉｆｉｅｒ）、２個の受信アンテナ（メイン＋ダイバーシティ（ｄｉｖｅｒｓｉｔｙ））
【０２２３】
−チャネル帯域幅（ＰＣＣ＋ＳＣＣ）：５ＭＨｚ＋５ＭＨｚ、５ＭＨｚ＋１０ＭＨｚ、１０ＭＨｚ＋５ＭＨｚ、及び１０ＭＨｚ＋１０ＭＨｚ
【０２２４】
−ＰＣＣとＳＣＣとの間のサブブロックのギャップ（Ｇａｐ）：０〜５５ＭＨｚ
【０２２５】
−変調損失（Ｍｏｄｕｌａｔｏｒ  ｉｍｐａｉｒｍｅｎｔｓ）は、下記の通りである。
【０２２６】
Ｉ／Ｑ  ｉｍｂａｌａｎｃｅ：２５ｄＢｃ
【０２２７】
Ｃａｒｒｉｅｒ  ｌｅａｋａｇｅ：２５ｄＢｃ
【０２２８】
Ｃｏｕｎｔｅｒ  ＩＭ３：６０ｄＢｃ
【０２２９】
ここで、Ｉ／Ｑ  ｉｍｂａｌａｎｃｅは、Ｉ／Ｑ不均衡であり、対称される副搬送波間の拡散として作用して性能低下を起こすことを意味する。このとき、単位ｄＢｃは、キャリア周波数のパワー大きさを基準にした相対的な大きさを示す。Ｃａｒｒｉｅｒ  ｌｅａｋａｇｅは、搬送波漏れであり、変調波キャリア周波数と同じ周波数を有する付加的な正弦（サイン）波形である。Ｃｏｕｎｔｅｒ  ＩＭ３（カウンタ混変調歪曲）は、ＲＦシステムで混合器及び増幅器のようなコンポーネントにより誘発される要素を示す。
【０２３０】
−ＰＡ動作点：Ｐｏｕｔ＝２２ｄＢｍ（ＱＰＳＫを使用して１００ＲＢ全体が割り当てられた場合）
【０２３１】
−デュプレクサ減衰（Ｄｕｐｌｅｘｅｒ  ａｔｔｅｎｕａｔｉｏｎ）：５０ｄＢ
【０２３２】
−挿入損失（Ｉｎｓｅｒｔｉｏｎ  ｌｏｓｓ）：３ｄＢ
【０２３３】
−ノイズフロア（Ｎｏｉｓｅ  Ｆｌｏｏｒ）：−１４０ｄＢｍ／Ｈｚ  ａｔ  ｔｈｅ  ＰＡ  ｏｕｔｐｕｔ
【０２３４】
また、図１７ｂを参照すると、イントラバンド非連続ＣＡが設定された場合、１個のアップリンク信号を送信し、且つ二つのダウンリンク帯域で同時に受信する環境で、アップリンクのリソース割当を二次コンポーネントキャリア（Ｓｅｃｏｎｄａｒｙ  ｃｏｍｐｏｎｅｎｔ  ｃａｒｒｉｅｒ：ＳＣＣ）のダウンリンク帯域と最も近い位置から１ＲＢずつ増加させる時、混変調成分により二次コンポーネントキャリア（ＳＣＣ）のダウンリンク上での基準感度の低下程度を観察するシミュレーションを実行し、そのシミュレーション結果を図１８乃至図２３に示す。
【０２３５】
即ち、本明細書によるシミュレーションは、基準感度が大きく低下されないようにするために、ＲＢの個数の制限程度、及びＲＢの開始位置を制限する必要があるかを確認することが主目的である。
【０２３６】
図１８ａ及び図１８ｂは、本明細書の一開示によって、イントラバンド非連続ＣＡが設定された場合、バンド２５の受信周波数に流入される送信信号の電力レベルに対するシミュレーション結果を示す例示図である。
【０２３７】
図１８ａを参照すると、表２の動作帯域２５において、一次コンポーネントキャリア（ＰＣＣ）でチャネル帯域幅５ＭＨｚを利用する場合、アップリンクのリソース割当を５ＲＢ、１０ＲＢ、１５ＲＢに増加させる時の送信漏れレベルをＰＤＳ（Ｐｏｗｅｒ  Ｓｐｅｃｔｒｕｍ  Ｄｅｎｓｉｔｙ）で表す。そして、図１８ｂを参照すると、表２の動作帯域２５において、アップリンクのリソース割当を５ＲＢ、１０ＲＢ、１５ＲＢに増加させる時の送信漏れレベルをＰＤＳで表す。
【０２３８】
一般的に受信端で受信感度を既存のＲｅｌ−８／９と同じく維持するためには、イントラバンド非連続ＣＡでも端末の送信端の信号レベルがデュプレクサ（ｄｕｐｌｅｘｅｒ）を介して受信端に流入されるようになるため、送信端で発生する信号レベル（ｌｅｖｅｌ）を制限する必要があり、イントラバンド非連続ＣＡ  ５ＭＨｚ  ｃｈａｎｎｅｌで−１００ｄＢｍを維持するために、流入される送信端の漏れ最大許容値は、約−６６ｄＢｍであり、ｄｕｐｌｅｘｅｒのａｔｔｅｎｕａｔｉｏｎ  ｌｅｖｅｌ  ５０ｄＢを適用すると、下記のように計算される。
【０２３９】
ＲＥＦＳＥＮＳ  ｆｏｒ  ｏｐｅｒａｔｉｎｇ  ｂａｎｄ＝Ｃｏｎｖｅｎｔｉｏｎａｌ  ＲＥＦＳＥＮＳ＋Ｔｘ＿ｌｅａｋａｇｅ  ｌｅｖｅｌｓ（ｗｉｔｈ  Ｄｕｐｌｅｘｅｒ  ａｔｔｅｎｕａｔｉｏｎ）
【０２４０】
＝−１００ｄＢｍ／ＣＨ＿ＢＷ＋−１１６（−６６−５０）ｄＢｍ／ＭＨｚ
【０２４１】
＝−１０７ｄＢｍ／ＭＨｚ＋−１１６ｄＢｍ／ＭＨｚ＝−１０６．４９ｄＢｍ／ＭＨｚ
【０２４２】
＝−９６．４９ｄＢｍ／ＣＨ＿ＢＷ＠−９７ｄＢｍ
【０２４３】
図１８ａ及び図１８ｂは、これを利用してｒｅｓｔｒｉｃｔｅｄ  ｌｅｖｅｌを表現したものであり、図１８ａ及び図１８ｂからアップリンクとして１個のＰＣＣのみを利用する場合、アップリンクリソースを１５ＲＢ割り当てるようになると、帯域２５のための基準感度に対する要求事項を満たすことができない。したがって、イントラバンド非連続ＣＡが設定された場合、一次コンポーネントキャリア（ＰＣＣ）でアップリンクのリソース割当は、５ＲＢまたは１０ＲＢに減らすのが好ましい。ここで、シミュレーションでのｐｕｒｓｅ成分は、端末のＰＡ通過前の不要な成分により発生された信号が増幅されて発生された現象であるが、これは実際ＲＢ  ａｌｌｏｃａｔｉｏｎ個数を制限するための分析のためには関係ないｌｅｖｅｌである。即ち、受信端でｄｕｐｌｅｘｅｒのａｔｔｅｎｕａｔｉｏｎにより５０ｄＢがさらに減少してｎｏｉｓｅ成分により無視される値になる。
【０２４４】
一方、ＲＢが割り当てられる位置を移動させることによって、帯域２５のための基準感度に対する要求事項を満たすことができるかを追加的にシミュレーションした結果を図１９ａ乃至図１９ｄに示す。
【０２４５】
図１９ａ乃至図１９ｄは、本明細書の一開示によって、イントラバンド非連続ＣＡが設定された場合、アップリンクリソース割当のＲＢ位置を変更する時の受信感度に対する感度抑圧（ｄｅｓｅｎｓｉｔｉｚａｔｉｏｎ）レベルを示す。
【０２４６】
まず、図１９ａは、一次コンポーネントキャリア（ＰＣＣ）のチャネル帯域幅が１０ＭＨｚ（即ち、５０ＲＢ）であり、二次コンポーネントキャリア（ＳＣＣ）のチャネル帯域幅も１０ＭＨｚ（即ち、５０ＲＢ）の場合、アップリンクのリソース割当は、各々、５ＲＢまたは１０ＲＢにし、そのＲＢの開始位置を移動させる時、受信感度に対する感度抑圧（ｄｅｓｅｎｓｉｔｉｚａｔｉｏｎ）レベルを示す。表１６は、図１９ａを結果を詳細に示す。
【０２４７】
【表１６】
0006050511.tif 000017
【０２４８】
以上の表において、△Ｆｂｌｏｃｋは、サブブロック間のギャップを意味する。
【０２４９】
また、図１９ｂは、一次コンポーネントキャリア（ＰＣＣ）のチャネル帯域幅が１０ＭＨｚ（即ち、５０ＲＢ）であり、二次コンポーネントキャリア（ＳＣＣ）のチャネル帯域幅は５ＭＨｚ（即ち、２５ＲＢ）の場合、アップリンクのリソース割当は、各々、５ＲＢまたは１０ＲＢにし、そのＲＢの開始位置を移動させる時、受信感度に対する感度抑圧（ｄｅｓｅｎｓｉｔｉｚａｔｉｏｎ）レベルを示す。表１７は、図１９ｂを結果を詳細に示す。
【０２５０】
【表１７】
0006050511.tif 000018
【０２５１】
図１９ｃは、一次コンポーネントキャリア（ＰＣＣ）のチャネル帯域幅が５ＭＨｚ（即ち、２５ＲＢ）であり、二次コンポーネントキャリア（ＳＣＣ）のチャネル帯域幅は１０ＭＨｚ（即ち、５０ＲＢ）の場合、アップリンクのリソース割当は、各々、５ＲＢまたは１０ＲＢにし、そのＲＢの開始位置を移動させる時、受信感度に対する感度抑圧（ｄｅｓｅｎｓｉｔｉｚａｔｉｏｎ）レベルを示す。表１８は、図１９ｃを結果を詳細に示す。
【０２５２】
【表１８】
0006050511.tif 000019
【０２５３】
図１９ｄは、一次コンポーネントキャリア（ＰＣＣ）のチャネル帯域幅が５ＭＨｚ（即ち、２５ＲＢ）であり、二次コンポーネントキャリア（ＳＣＣ）のチャネル帯域幅は５ＭＨｚ（即ち、２５ＲＢ）の場合、アップリンクのリソース割当は、各々、５ＲＢまたは１０ＲＢにし、そのＲＢの開始位置を移動させる時、受信感度に対する感度抑圧（ｄｅｓｅｎｓｉｔｉｚａｔｉｏｎ）レベルを示す。表１９は、図１９ｄを結果を詳細に示す。
【０２５４】
【表１９】
0006050511.tif 000020
【０２５５】
以上の図１９ａ乃至図１９ｄに示す結果を参照すると、図１９ｂのように、一次コンポーネントキャリア（ＰＣＣ）のチャネル帯域幅が１０ＭＨｚ（即ち、５０ＲＢ）であり、二次コンポーネントキャリア（ＳＣＣ）のチャネル帯域幅は５ＭＨｚ（即ち、２５ＲＢ）の場合、感度抑圧（ｄｅｓｅｎｓｉｔｉｚａｔｉｏｎ）が最も大きく発現されることを知ることができる。したがって、一次コンポーネントキャリア（ＰＣＣ）のチャネル帯域幅が１０ＭＨｚ（即ち、５０ＲＢ）でり、二次コンポーネントキャリア（ＳＣＣ）のチャネル帯域幅は５ＭＨｚ（即ち、２５ＲＢ）の場合には、感度抑圧を避けるために、ＲＢの開始位置を３３番目に制限することができる。また、図１９ａのように、一次コンポーネントキャリア（ＰＣＣ）のチャネル帯域幅が１０ＭＨｚ（即ち、５０ＲＢ）であり、二次コンポーネントキャリア（ＳＣＣ）のチャネル帯域幅も１０ＭＨｚ（即ち、５０ＲＢ）の場合にも、感度抑圧（ｄｅｓｅｎｓｉｔｉｚａｔｉｏｎ）が多少発現されることを知ることができる。したがって、この場合には、ＲＢの開始位置を７番目に制限することもできる。
【０２５６】
総合すると、ダウンリンク搬送波は２個であるが、アップリンク搬送波は１個のみ使われる場合、送信漏れによる感度抑圧（ｄｅｓｅｎｓｉｔｉｚａｔｉｏｎ）を避けるために、アップリンクのリソース割当のＲＢの個数を１０個に制限することによって、送信漏れが５ＭＨｚチャネル帯域幅（即ち、２５ＲＢ）に対しては−１０９ｄＢｍ以内になるようにし、１０ＭＨｚチャネル帯域幅（即ち、４０ＲＢ）に対しては−１０６ｄＢｍ以内になるようにする必要がある。また、一次コンポーネントキャリア（ＰＣＣ）のチャネル帯域幅が１０ＭＨｚ（即ち、５０ＲＢ）であり、二次コンポーネントキャリア（ＳＣＣ）のチャネル帯域幅は５ＭＨｚ（即ち、２５ＲＢ）の場合は、ＲＢの開始位置を３３番目に制限する必要がある。
【０２５７】
これを総合的に整理すると、以下の表の通りである。
【０２５８】
【表２０】
0006050511.tif 000021
【０２５９】
以上の表における脚注１は、アップリンクリソース割当のＲＢがダウンリンク動作帯域と可能の限り隣接するが、送信では制限（ｃｏｎｆｉｎｅｄ）されることを意味する。
【０２６０】
以上の表におけるΔＦｂｌｏｃｋは、２個のサブブロック間のギャップを意味する。ＮＯＴＥ３：以上の表における脚注４は、アップリンクリソース割当でＲＢの開始位置を３３番目に制限しなければならないことを意味する。
【０２６１】
以上の表における脚注５は、アップリンクリソース割当でＲＢの開始位置を７番目に制限しなければならないことを意味する。
【０２６２】
図２０は、本明細書の開示による端末の動作を示す。
【０２６３】
図２０の（ａ）を参照すると、事業者Ａと事業者Ｂが特定地域で同時にサービスを提供する例が示されている。
【０２６４】
このような状況で図２０の（ｂ）に示すように、事業者Ａの基地局は、マスタ情報ブロック（ＭＩＢ：Ｍａｓｔｅｒ  Ｉｎｆｏｒｍａｔｉｏｎ  Ｂｌｏｃｋ）及びシステム情報ブロック（ＳＩＢ：Ｓｙｓｔｅｍ  Ｉｎｆｏｒｍａｔｉｏｎ  Ｂｌｏｃｋ）を送信する。
【０２６５】
前記システム情報ブロック（ＳＩＢ）は、表２に示す動作帯域のうち自分が使用中の動作帯域に対する情報、アップリンク（Ｕｐｌｉｎｋ：ＵＬ）帯域幅に対する情報、及びアップリンク（ＵＬ）キャリア周波数に対する情報のうち、一つ以上を含むことができる。前記アップリンク（ＵＬ）帯域幅に対する情報は、リソースブロック（ＲＢ：ｒｅｓｏｕｒｃｅ  ｂｌｏｃｋ）の個数に対する情報を含むことができる。
【０２６６】
このとき、事業者Ａの端末は、キャリアアグリゲーション（ＣＡ）が設定され、前記キャリアアグリゲーションが活性化された場合、前記設定されたキャリアアグリゲーション（ＣＡ）がイントラバンド非連続キャリアアグリゲーション（ｉｎｔｒａ−ｂａｎｄ  ｎｏｎ−ｃｏｎｔｉｇｕｏｕｓ  ＣＡ）に該当するかどうかを判断する。前記キャリアアグリゲーションの設定は、セカンダリセルの設定を受信することによって実行されることができる。また、前記キャリアアグリゲーションの活性は、セカンダリセルの活性に対する信号を受信することによって実行されることができる。
【０２６７】
前記設定されたキャリアアグリゲーション（ＣＡ）がイントラバンド非連続キャリアアグリゲーション（ｉｎｔｒａ−ｂａｎｄ  ｎｏｎ−ｃｏｎｔｉｇｕｏｕｓ  ＣＡ）に該当する場合、事業者Ａの基地局は、以上の表に提案されたＲＢの個数及びＲＢ開始位置を利用してアップリンクリソースを割り当て、事業者Ａの端末が前記ＲＢ開始位置上で前記割り当てられたＲＢの個数を利用して送信を実行する時、基準感度に対するテストを実行し、このテストを通過した端末のみが要求されるＲＦ性能を満たすと判定し、リリースされるのが好ましい。
【０２６８】
本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。
【０２６９】
ハードウェアによる具現の場合、本発明の実施例による方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現されることができる。
【０２７０】
ファームウェアやソフトウェアによる具現の場合、本発明の実施例による方法は、以上で説明された機能または動作を実行するモジュール、手順または関数などの形態で具現されることができる。ソフトウェアコードは、メモリユニットに格納され、プロセッサにより駆動されることができる。前記メモリユニットは、前記プロセッサの内部または外部に位置し、既に公知された多様な手段により前記プロセッサとデータをやりとりすることができる。具体的に、図２１を参照して説明する。
【０２７１】
図２１は、本発明の実施例が具現される無線通信システムを示すブロック図である。
【０２７２】
基地局２００は、プロセッサ（ｐｒｏｃｅｓｓｏｒ）２０１、メモリ（ｍｅｍｏｒｙ）２０２及びＲＦ部（ＲＦ（ｒａｄｉｏ  ｆｒｅｑｕｅｎｃｙ）ｕｎｉｔ）２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び／または受信する。プロセッサ２０１は、提案された機能、過程及び／または方法を具現する。前述した実施例において、基地局の動作は、プロセッサ２０１により具現されることができる。
【０２７３】
無線機器１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び／または受信する。プロセッサ１０１は、提案された機能、過程及び／または方法を具現する。前述した実施例において、無線機器の動作は、プロセッサ１０１により具現されることができる。
【０２７４】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段によりプロセッサと連結されることができる。
【０２７５】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006050511.tif 000022
【図２】
0006050511.tif 000023
【図３】
0006050511.tif 000024
【図４】
0006050511.tif 000025
【図５】
0006050511.tif 000026
【図６】
0006050511.tif 000027
【図７（ａ）】
0006050511.tif 000028
【図７（ｂ）】
0006050511.tif 000029
【図８】
0006050511.tif 000030
【図９】
0006050511.tif 000031
【図１０】
0006050511.tif 000032
【図１１】
0006050511.tif 000033
【図１２】
0006050511.tif 000034
【図１３】
0006050511.tif 000035
【図１４】
0006050511.tif 000036
【図１５】
0006050511.tif 000037
【図１６】
0006050511.tif 000038
【図１７ａ】
0006050511.tif 000039
【図１７ｂ】
0006050511.tif 000040
【図１８ａ】
0006050511.tif 000041
【図１８ｂ】
0006050511.tif 000042
【図１９ａ】
0006050511.tif 000043
【図１９ｂ】
0006050511.tif 000044
【図１９ｃ】
0006050511.tif 000045
【図１９ｄ】
0006050511.tif 000046
【図２０】
0006050511.tif 000047
【図２１】
0006050511.tif 000048